(57)【要約】  待ち時間低減のためのＤＣＩ設計に関連する基地局、ユーザ機器、およびワイヤレス通信方法が提供される。基地局は、サブフレーム内で通常のＴＴＩをスケジュールするべきか短縮ＴＴＩをスケジュールするべきかに応じて、第１のタイプのＤＣＩまたは第２のタイプのＤＣＩのいずれかを形成するように動作可能な回路と、サブフレーム内で第１のタイプのＤＣＩまたは第２のタイプのＤＣＩを送信するように動作可能な送信部とを備え、第１のタイプのＤＣＩおよび第２のタイプのＤＣＩは区別可能であり、第２のタイプのＤＣＩが送信され、別の短縮ＴＴＩがスケジュールされるべき場合、回路は第３のタイプのＤＣＩを形成するようにさらに動作可能であり、送信部は、サブフレーム内で第２のタイプのＤＣＩによってスケジュールされた前記短縮ＴＴＩの後の短縮ＴＴＩ内で、第３のタイプのＤＣＩを送信するようにさらに動作可能である。
2019519126.tif 000002
【特許請求の範囲】
【請求項１】
サブフレーム内で通常のＴＴＩをスケジュールするべきか短縮ＴＴＩをスケジュールするべきかに応じて、第１のタイプのＤＣＩまたは第２のタイプのＤＣＩのいずれかを形成するように動作可能な回路と、
前記サブフレーム内で前記第１のタイプのＤＣＩまたは前記第２のタイプのＤＣＩを送信するように動作可能な送信部と
を備える、基地局であって、
前記通常のＴＴＩが１４個のＯＦＤＭシンボルを有し、前記短縮ＴＴＩが７個以下のＯＦＤＭシンボルを有し、
前記第１のタイプのＤＣＩが前記通常のＴＴＩをスケジュールし、前記第２のタイプのＤＣＩが前記短縮ＴＴＩをスケジュールし、
前記第１のタイプのＤＣＩおよび前記第２のタイプのＤＣＩが互いに区別可能であり、
前記第２のタイプのＤＣＩが送信され、別の短縮ＴＴＩがスケジュールされるべき場合、前記回路が第３のタイプのＤＣＩを形成するようにさらに動作可能であり、前記送信部が、前記サブフレーム内で前記第２のタイプのＤＣＩによってスケジュールされた前記短縮ＴＴＩの後の短縮ＴＴＩ内で、前記第３のタイプのＤＣＩを送信するようにさらに動作可能である、
基地局。
【請求項２】
前記第１のタイプのＤＣＩおよび前記第２のタイプのＤＣＩが、前記サブフレームのＰＤＣＣＨ領域内で送信され、
前記第１のタイプのＤＣＩおよび前記第２のタイプのＤＣＩが同じサイズであり、１ビットフィールドによって区別可能である、
請求項１に記載の基地局。
【請求項３】
サブフレーム内で通常のＴＴＩをスケジュールするための第１のタイプのＤＣＩまたは短縮ＴＴＩをスケジュールするための第２のタイプのＤＣＩを検出するように動作可能な検出部と、
前記検出されたＤＣＩが前記第１のタイプのＤＣＩであるか前記第２のタイプのＤＣＩであるかを判定するように動作可能な回路と
を備える、ユーザ機器であって、
前記検出されたＤＣＩが前記第２のタイプのＤＣＩである場合、前記検出部が、前記サブフレーム内で前記第２のタイプのＤＣＩによってスケジュールされた前記短縮ＴＴＩの直後の短縮ＴＴＩから始まる前記短縮ＴＴＩ内で、第３のタイプのＤＣＩを検出するようにさらに動作可能であり、
前記通常のＴＴＩが１４個のＯＦＤＭシンボルを有し、前記短縮ＴＴＩが７個以下のＯＦＤＭシンボルを有する、
ユーザ機器。
【請求項４】
１つのタイプのＤＣＩがサブフレームのすべての短縮ＴＴＩに使用されるべき場合、前記サブフレーム用の第４のタイプのＤＣＩを形成し、２つのタイプのＤＣＩが前記サブフレームの短縮ＴＴＩに使用されるべき場合、前記サブフレーム用の第２のタイプのＤＣＩおよび第３のタイプのＤＣＩを形成するように動作可能な回路と、
前記第４のタイプのＤＣＩが使用される場合、前記サブフレームの少なくともＰＤＣＣＨ領域または開始短縮ＴＴＩ内で前記第４のタイプのＤＣＩを送信し、前記第２のタイプのＤＣＩおよび前記第３のタイプのＤＣＩが使用される場合、前記サブフレームの前記ＰＤＣＣＨ領域または前記開始短縮ＴＴＩ内で第２のタイプのＤＣＩを、かつ前記サブフレーム内の前記第２のタイプのＤＣＩの後の１つまたは複数の短縮ＴＴＩ内で前記第３のタイプのＤＣＩを送信するように動作可能な送信部と
を備える、基地局であって、
前記短縮ＴＴＩが７個以下のＯＦＤＭシンボルを有し、
前記第４のタイプのＤＣＩおよび前記第２のタイプのＤＣＩが互いに区別可能である、
基地局。
【請求項５】
前記回路が、１４個のＯＦＤＭシンボルを有する通常のＴＴＩがスケジュールされるべき場合、前記サブフレーム用の第１のタイプのＤＣＩを形成するようにさらに動作可能であり、
前記送信部が、前記サブフレームの前記ＰＤＣＣＨ領域内で前記第１のタイプのＤＣＩを送信するようにさらに動作可能であり、
前記第１のタイプのＤＣＩ、前記第２のタイプのＤＣＩ、および前記第４のタイプのＤＣＩが互いに区別可能である、
請求項４に記載の基地局。
【請求項６】
サブフレームのＰＤＣＣＨ領域または開始短縮ＴＴＩ内で第４のタイプのＤＣＩまたは第２のタイプのＤＣＩを検出するように動作可能な検出部と、
前記検出されたＤＣＩが前記第４のタイプのＤＣＩであるか前記第２のタイプのＤＣＩであるかを判定するように動作可能な回路と
を備える、ユーザ機器であって、
前記検出されたＤＣＩが前記第４のタイプのＤＣＩである場合、前記検出部が、前記第４のタイプのＤＣＩが前記サブフレーム内で最初に検出された場所の後の１つまたは複数の短縮ＴＴＩ内で前記第４のタイプのＤＣＩを検出するようにさらに動作可能であり、
前記検出されたＤＣＩが前記第２のタイプのＤＣＩである場合、前記検出部が、前記サブフレーム内の前記第２のタイプのＤＣＩの後の１つまたは複数の短縮ＴＴＩ内で第３のタイプのＤＣＩを検出するようにさらに動作可能であり、
前記短縮ＴＴＩが７個以下のＯＦＤＭシンボルを有する、
ユーザ機器。
【請求項７】
前記検出部が、前記サブフレームの前記ＰＤＣＣＨ領域内の１４個のＯＦＤＭシンボルを有する通常のＴＴＩをスケジュールするための第１のタイプのＤＣＩを検出するようにさらに動作可能であり、
前記第１のタイプのＤＣＩが検出された場合、前記検出部が、前記サブフレーム内でそれ以上ＤＣＩを検出しないように動作可能である、
請求項６に記載のユーザ機器。
【請求項８】
サブフレーム内の短縮ＴＴＩの長さが所定の長さよりも小さくない場合、前記サブフレーム用の１つのタイプのＤＣＩを形成し、前記サブフレーム内の短縮ＴＴＩの前記長さが前記所定の長さよりも小さい場合、前記サブフレーム用の２つのタイプのＤＣＩを形成するように動作可能な回路と、
前記形成された１つのタイプのＤＣＩまたは前記形成された２つのタイプのＤＣＩを送信するように動作可能な送信部と
を備える、基地局であって、
前記短縮ＴＴＩが７個以下のＯＦＤＭシンボルを有し、
前記２つのタイプのＤＣＩのうちの一方が１つのスロットまたは１つのサブフレームに関する共通情報を搬送し、前記２つのタイプのＤＣＩのうちの他方がその対象短縮ＴＴＩに固有の情報を搬送する、
基地局。
【請求項９】
サブフレーム内の短縮ＴＴＩの長さが所定の長さよりも小さくない場合、前記サブフレーム用の１つのタイプのＤＣＩを検出し、前記サブフレーム内の短縮ＴＴＩの前記長さが前記所定の長さよりも小さい場合、前記サブフレーム用の２つのタイプのＤＣＩを検出するように動作可能な検出部と、
前記２つのタイプのＤＣＩのうちの一方から１つのスロットまたは１つのサブフレームに関する共通情報を取得し、前記２つのタイプのＤＣＩのうちの他方から対象短縮ＴＴＩに固有の情報を取得するように動作可能な回路と
を備える、ユーザ機器であって、
前記短縮ＴＴＩが７個以下のＯＦＤＭシンボルを有する、
ユーザ機器。
【請求項１０】
無線フレーム内に短縮ＴＴＩサブフレームを示すためのＤＣＩを形成するように動作可能な回路と、
前記無線フレームのサブフレーム＃０内、または以前の無線フレーム内のサブフレーム内のＣＳＳ内で前記ＤＣＩを送信するように動作可能な送信部と
を備える、ＴＤＤ通信用の基地局であって、
前記短縮ＴＴＩサブフレームが、ＤｗＰＴＳ、ガードバンド、およびＵｐＰＴＳを有するサブフレームであり、ＤｗＰＴＳ、ガードバンド、およびＵｐＰＴＳの比率が、ＲＲＣによって任意に構成可能である、
基地局。
【請求項１１】
前記ＤＣＩがｅＩＭＴＡ情報も含む、
請求項１０に記載の基地局。
【請求項１２】
無線フレームのサブフレーム＃０内、または以前の無線フレーム内のサブフレーム内のＣＳＳ内でＤＣＩを検出するように動作可能な検出部と、
前記検出されたＤＣＩに基づいて前記無線フレーム内の短縮ＴＴＩサブフレームを特定するように動作可能な回路と
を備える、ＴＤＤ通信用のユーザ機器であって、
前記短縮ＴＴＩサブフレームが、ＤｗＰＴＳ、ガードバンド、およびＵｐＰＴＳを有するサブフレームであり、ＤｗＰＴＳ、ガードバンド、およびＵｐＰＴＳの比率が、ＲＲＣによって任意に構成可能である、
ユーザ機器。
【請求項１３】
サブフレーム内で通常のＴＴＩをスケジュールするべきか短縮ＴＴＩをスケジュールするべきかに応じて、第１のタイプのＤＣＩまたは第２のタイプのＤＣＩのいずれかを形成するステップと、
前記サブフレーム内で前記第１のタイプのＤＣＩまたは前記第２のタイプのＤＣＩを送信するステップと
を備える、ワイヤレス通信方法であって、
前記通常のＴＴＩが１４個のＯＦＤＭシンボルを有し、前記短縮ＴＴＩが７個以下のＯＦＤＭシンボルを有し、
前記第１のタイプのＤＣＩが通常のＴＴＩをスケジュールし、第２のタイプのＤＣＩが短縮ＴＴＩをスケジュールし、
前記第１のタイプのＤＣＩおよび前記第２のタイプのＤＣＩが互いに区別可能であり、
前記第２のタイプのＤＣＩが送信され、別の短縮ＴＴＩがスケジュールされるべき場合、前記方法が、前記サブフレーム内で前記第２のタイプのＤＣＩによってスケジュールされた前記短縮ＴＴＩの後の短縮ＴＴＩ内で、第３のタイプのＤＣＩを形成し送信するステップをさらに備える、
ワイヤレス通信方法。
【請求項１４】
サブフレーム内で通常のＴＴＩをスケジュールするための第１のタイプのＤＣＩまたは短縮ＴＴＩをスケジュールするための第２のタイプのＤＣＩを検出するステップと、
前記検出されたＤＣＩが前記第２のタイプのＤＣＩである場合、前記サブフレーム内で前記第２のタイプのＤＣＩによってスケジュールされた前記短縮ＴＴＩの直後の短縮ＴＴＩから始まる前記短縮ＴＴＩ内で、第３のタイプのＤＣＩをさらに検出するステップと
を備える、ワイヤレス通信方法であって、
前記通常のＴＴＩが１４個のＯＦＤＭシンボルを有し、前記短縮ＴＴＩが７個以下のＯＦＤＭシンボルを有する、
ワイヤレス通信方法。
【請求項１５】
１つのタイプのＤＣＩがサブフレームのすべての短縮ＴＴＩに使用されるべき場合、前記サブフレーム用の第４のタイプのＤＣＩを形成し、２つのタイプのＤＣＩが前記サブフレームの短縮ＴＴＩに使用されるべき場合、前記サブフレーム用の第２のタイプのＤＣＩおよび第３のタイプのＤＣＩを形成するステップと、
前記第４のタイプのＤＣＩが使用される場合、前記サブフレームの少なくとも前記ＰＤＣＣＨ領域または前記開始短縮ＴＴＩ内で前記第４のタイプのＤＣＩを送信し、前記第２のタイプのＤＣＩおよび前記第３のタイプのＤＣＩが使用される場合、前記サブフレームの前記ＰＤＣＣＨ領域または前記開始短縮ＴＴＩ内で前記第２のタイプのＤＣＩを、かつ前記サブフレーム内の前記第２のタイプのＤＣＩの後の１つまたは複数の短縮ＴＴＩ内で前記第３のタイプのＤＣＩを送信するステップと
を備える、ワイヤレス通信方法であって、
前記短縮ＴＴＩが７個以下のＯＦＤＭシンボルを有し、
前記第４のタイプのＤＣＩおよび前記第２のタイプのＤＣＩが互いに区別可能である、
ワイヤレス通信方法。
【請求項１６】
サブフレームの前記ＰＤＣＣＨ領域または前記開始短縮ＴＴＩ内で第４のタイプのＤＣＩまたは第２のタイプのＤＣＩを検出するステップと、
前記検出されたＤＣＩが前記第４のタイプのＤＣＩである場合、前記第４のタイプのＤＣＩが前記サブフレーム内で最初に検出された場所の後の１つまたは複数の短縮ＴＴＩ内で前記第４のタイプのＤＣＩをさらに検出するステップと、
前記検出されたＤＣＩが前記第２のタイプのＤＣＩである場合、前記サブフレーム内の前記第２のタイプのＤＣＩの後の１つまたは複数の短縮ＴＴＩ内で第３のタイプのＤＣＩをさらに検出するステップと
を備える、ワイヤレス通信方法であって、
前記短縮ＴＴＩが７個以下のＯＦＤＭシンボルを有する、
ワイヤレス通信方法。
【請求項１７】
サブフレーム内の短縮ＴＴＩの前記長さが所定の長さよりも小さくない場合、前記サブフレーム用の１つのタイプのＤＣＩを形成し、前記サブフレーム内の短縮ＴＴＩの前記長さが前記所定の長さよりも小さい場合、前記サブフレーム用の２つのタイプのＤＣＩを形成するステップと、
前記形成された１つのタイプのＤＣＩまたは前記形成された２つのタイプのＤＣＩを送信するステップと
を備える、ワイヤレス通信方法であって、
前記短縮ＴＴＩが７個以下のＯＦＤＭシンボルを有し、
前記２つのタイプのＤＣＩのうちの一方が１つのスロットまたは１つのサブフレームに関する共通情報を搬送し、前記２つのタイプのＤＣＩのうちの他方がその対象短縮ＴＴＩに固有の情報を搬送する、
ワイヤレス通信方法。
【請求項１８】
サブフレーム内の短縮ＴＴＩの前記長さが所定の長さよりも小さくない場合、前記サブフレーム用の１つのタイプのＤＣＩを検出し、前記サブフレーム内の短縮ＴＴＩの前記長さが前記所定の長さよりも小さい場合、前記サブフレーム用の２つのタイプのＤＣＩを検出するステップと、
前記２つのタイプのＤＣＩのうちの一方から１つのスロットまたは１つのサブフレームに関する共通情報を取得し、前記２つのタイプのＤＣＩのうちの他方から対象短縮ＴＴＩに固有の情報を取得するステップと
を備える、ワイヤレス通信方法であって、
前記短縮ＴＴＩが７個以下のＯＦＤＭシンボルを有する、
ワイヤレス通信方法。
【請求項１９】
無線フレーム内に短縮ＴＴＩサブフレームを示すためのＤＣＩを形成するステップと、
前記無線フレームのサブフレーム＃０内、または以前の無線フレーム内のサブフレーム内のＣＳＳ内で前記ＤＣＩを送信するステップと
を備える、ＴＤＤ用のワイヤレス通信方法であって、
前記短縮ＴＴＩサブフレームが、ＤｗＰＴＳ、ガードバンド、およびＵｐＰＴＳを有するサブフレームであり、ＤｗＰＴＳ、ガードバンド、およびＵｐＰＴＳの比率が、ＲＲＣによって任意に構成可能である、
ワイヤレス通信方法。
【請求項２０】
無線フレームのサブフレーム＃０内、または以前の無線フレーム内のサブフレーム内のＣＳＳ内でＤＣＩを検出するステップと、
前記検出されたＤＣＩに基づいて前記無線フレーム内の短縮ＴＴＩサブフレームを特定するステップと
を備える、ＴＤＤ用のワイヤレス通信方法であって、
前記短縮ＴＴＩサブフレームが、ＤｗＰＴＳ、ガードバンド、およびＵｐＰＴＳを有するサブフレームであり、ＤｗＰＴＳ、ガードバンド、およびＵｐＰＴＳの比率が、ＲＲＣによって任意に構成可能である、
ワイヤレス通信方法。
【発明の詳細な説明】
【技術分野】
【０００１】
本開示は、ワイヤレス通信の分野に関し、詳細には、待ち時間低減のためのダウンリンク制御情報（ＤＣＩ：Ｄｏｗｎｌｉｎｋ  Ｃｏｎｔｒｏｌ  Ｉｎｆｏｒｍａｔｉｏｎ）設計に関連する基地局（ｅＮＢ）、ユーザ機器（ＵＥ：Ｕｓｅｒ  Ｅｑｕｉｐｍｅｎｔ）、およびワイヤレス通信方法に関する。
【背景技術】
【０００２】
待ち時間低減は３ＧＰＰ  ＲＡＮ１の新しい研究項目であり、主な前提事項は、待ち時間を低減するために、送信時間間隔（ＴＴＩ：Ｔｒａｎｓｍｉｓｓｉｏｎ  Ｔｉｍｅ  Ｉｎｔｅｒｖａｌ）の長さを１４個の直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（１ｍｓ）から７つ以下のＯＦＤＭシンボルに短縮できることである。その長さが７個以下のＯＦＤＭシンボルであるＴＴＩは、以後、短縮ＴＴＩとも呼ばれる（ｓＴＴＩとも略記される）。
【発明の概要】
【発明が解決しようとする課題】
【０００３】
１つの非限定的かつ例示的な実施形態は、待ち時間低減のための短縮ＴＴＩに関するＤＣＩ設計を提供する。
【課題を解決するための手段】
【０００４】
本開示の第１の一般的な態様では、サブフレーム内で通常のＴＴＩをスケジュールするべきか短縮ＴＴＩをスケジュールするべきかに応じて、第１のタイプのＤＣＩまたは第２のタイプのＤＣＩのいずれかを形成するように動作可能な回路と、サブフレーム内で第１のタイプのＤＣＩまたは第２のタイプのＤＣＩを送信するように動作可能な送信部とを備える基地局が提供され、通常のＴＴＩは１４個のＯＦＤＭシンボルを有し、短縮ＴＴＩは７個以下のＯＦＤＭシンボルを有し、第１のタイプのＤＣＩは通常のＴＴＩをスケジュールし、第２のタイプのＤＣＩは短縮ＴＴＩをスケジュールし、第１のタイプのＤＣＩおよび第２のタイプのＤＣＩは互いに区別可能であり、第２のタイプのＤＣＩが送信され、別の短縮ＴＴＩがスケジュールされるべき場合、回路は第３のタイプのＤＣＩを形成するようにさらに動作可能であり、送信部は、サブフレーム内で第２のタイプのＤＣＩによってスケジュールされた前記短縮ＴＴＩの後の短縮ＴＴＩ内で、第３のタイプのＤＣＩを送信するようにさらに動作可能である。
【０００５】
本開示の第２の一般的な態様では、サブフレーム内で通常のＴＴＩをスケジュールするための第１のタイプのＤＣＩまたは短縮ＴＴＩをスケジュールするための第２のタイプのＤＣＩを検出するように動作可能な検出部と、検出されたＤＣＩが第１のタイプのＤＣＩであるか第２のタイプのＤＣＩであるかを判定するように動作可能な回路とを備えるユーザ機器が提供され、検出されたＤＣＩが第２のタイプのＤＣＩである場合、検出部は、サブフレーム内で第２のタイプのＤＣＩによってスケジュールされた前記短縮ＴＴＩの直後の短縮ＴＴＩから始まる短縮ＴＴＩ内で、第３のタイプのＤＣＩを検出するようにさらに動作可能であり、通常のＴＴＩは１４個のＯＦＤＭシンボルを有し、短縮ＴＴＩは７個以下のＯＦＤＭシンボルを有する。
【０００６】
本開示の第３の一般的な態様では、１つのタイプのＤＣＩがサブフレームのすべての短縮ＴＴＩに使用されるべき場合、サブフレーム用の第４のタイプのＤＣＩを形成し、２つのタイプのＤＣＩがサブフレームの短縮ＴＴＩに使用されるべき場合、サブフレーム用の第２のタイプのＤＣＩおよび第３のタイプのＤＣＩを形成するように動作可能な回路と、第４のタイプのＤＣＩが使用される場合、サブフレームの少なくともＰＤＣＣＨ領域または開始短縮ＴＴＩ内で第４のタイプのＤＣＩを送信し、第２のタイプのＤＣＩおよび第３のタイプのＤＣＩが使用される場合、サブフレームのＰＤＣＣＨ領域または開始短縮ＴＴＩ内で第２のタイプのＤＣＩを、かつサブフレーム内の第２のタイプのＤＣＩの後の１つまたは複数の短縮ＴＴＩ内で第３のタイプのＤＣＩを送信するように動作可能な送信部とを備える基地局が提供され、短縮ＴＴＩは７個以下のＯＦＤＭシンボルを有し、第４のタイプのＤＣＩおよび第２のタイプのＤＣＩは互いに区別可能である。
【０００７】
本開示の第４の一般的な態様では、サブフレームのＰＤＣＣＨ領域または開始短縮ＴＴＩ内で第４のタイプのＤＣＩまたは第２のタイプのＤＣＩを検出するように動作可能な検出部と、検出されたＤＣＩが第４のタイプのＤＣＩであるか第２のタイプのＤＣＩであるかを判定するように動作可能な回路とを備えるユーザ機器が提供され、検出されたＤＣＩが第４のタイプのＤＣＩである場合、検出部は、第４のタイプのＤＣＩがサブフレーム内で最初に検出された場所の後の１つまたは複数の短縮ＴＴＩ内で第４のタイプのＤＣＩを検出するようにさらに動作可能であり、検出されたＤＣＩが第２のタイプのＤＣＩである場合、検出部は、サブフレーム内の第２のタイプのＤＣＩの後の１つまたは複数の短縮ＴＴＩ内で第３のタイプのＤＣＩを検出するようにさらに動作可能であり、短縮ＴＴＩは７個以下のＯＦＤＭシンボルを有する。
【０００８】
本開示の第５の一般的な態様では、サブフレーム内の短縮ＴＴＩの長さが所定の長さよりも小さくない場合、サブフレーム用の１つのタイプのＤＣＩを形成し、サブフレーム内の短縮ＴＴＩの長さが所定の長さよりも小さい場合、サブフレーム用の２つのタイプのＤＣＩを形成するように動作可能な回路と、形成された１つのタイプのＤＣＩまたは形成された２つのタイプのＤＣＩを送信するように動作可能な送信部とを備える基地局が提供され、短縮ＴＴＩは７個以下のＯＦＤＭシンボルを有し、２つのタイプのＤＣＩのうちの一方は１つのスロットまたは１つのサブフレームに関する共通情報を搬送し、２つのタイプのＤＣＩのうちの他方はその対象短縮ＴＴＩに固有の情報を搬送する。
【０００９】
本開示の第６の一般的な態様では、サブフレーム内の短縮ＴＴＩの長さが所定の長さよりも小さくない場合、サブフレーム用の１つのタイプのＤＣＩを検出し、サブフレーム内の短縮ＴＴＩの長さが所定の長さよりも小さい場合、サブフレーム用の２つのタイプのＤＣＩを検出するように動作可能な検出部と、２つのタイプのＤＣＩのうちの一方から１つのスロットまたは１つのサブフレームに関する共通情報を取得し、２つのタイプのＤＣＩのうちの他方から対象短縮ＴＴＩに固有の情報を取得するように動作可能な回路とを備えるユーザ機器が提供され、短縮ＴＴＩは７個以下のＯＦＤＭシンボルを有する。
【００１０】
本開示の第７の一般的な態様では、無線フレーム内に短縮ＴＴＩサブフレームを示すためのＤＣＩを形成するように動作可能な回路と、無線フレームのサブフレーム＃０内、または以前の無線フレーム内のサブフレーム内のＣＳＳ内でＤＣＩを送信するように動作可能な送信部とを備える、ＴＤＤ通信用の基地局が提供され、短縮ＴＴＩサブフレームは、ＤｗＰＴＳ、ガードバンド、およびＵｐＰＴＳを有するサブフレームであり、ＤｗＰＴＳ、ガードバンド、およびＵｐＰＴＳの比率は、ＲＲＣによって任意に構成可能である。
【００１１】
本開示の第８の一般的な態様では、無線フレームのサブフレーム＃０内、または以前の無線フレーム内のサブフレーム内のＣＳＳ内でＤＣＩを検出するように動作可能な検出部と、検出されたＤＣＩに基づいて無線フレーム内の短縮ＴＴＩサブフレームを特定するように動作可能な回路とを備える、ＴＤＤ通信用のユーザ機器が提供され、短縮ＴＴＩサブフレームは、ＤｗＰＴＳ、ガードバンド、およびＵｐＰＴＳを有するサブフレームであり、ＤｗＰＴＳ、ガードバンド、およびＵｐＰＴＳの比率は、ＲＲＣによって任意に構成可能である。
【００１２】
本開示の第９の一般的な態様では、サブフレーム内で通常のＴＴＩをスケジュールするべきか短縮ＴＴＩをスケジュールするべきかに応じて、第１のタイプのＤＣＩまたは第２のタイプのＤＣＩのいずれかを形成するステップと、サブフレーム内で第１のタイプのＤＣＩまたは第２のタイプのＤＣＩを送信するステップとを備える、ワイヤレス通信方法が提供され、通常のＴＴＩは１４個のＯＦＤＭシンボルを有し、短縮ＴＴＩは７個以下のＯＦＤＭシンボルを有し、第１のタイプのＤＣＩは通常のＴＴＩをスケジュールし、第２のタイプのＤＣＩは短縮ＴＴＩをスケジュールし、第１のタイプのＤＣＩおよび第２のタイプのＤＣＩは互いに区別可能であり、第２のタイプのＤＣＩが送信され、別の短縮ＴＴＩがスケジュールされるべき場合、方法は、サブフレーム内で第２のタイプのＤＣＩによってスケジュールされた前記短縮ＴＴＩの後の短縮ＴＴＩ内で、第３のタイプのＤＣＩを形成し送信するステップをさらに備える。
【００１３】
本開示の第１０の一般的な態様では、サブフレーム内で通常のＴＴＩをスケジュールするための第１のタイプのＤＣＩまたは短縮ＴＴＩをスケジュールするための第２のタイプのＤＣＩを検出するステップと、検出されたＤＣＩが第２のタイプのＤＣＩである場合、サブフレーム内で第２のタイプのＤＣＩによってスケジュールされた前記短縮ＴＴＩの直後の短縮ＴＴＩから始まる短縮ＴＴＩ内で、第３のタイプのＤＣＩをさらに検出するステップとを備える、ワイヤレス通信方法が提供され、通常のＴＴＩは１４個のＯＦＤＭシンボルを有し、短縮ＴＴＩは７個以下のＯＦＤＭシンボルを有する。
【００１４】
本開示の第１１の一般的な態様では、１つのタイプのＤＣＩがサブフレームのすべての短縮ＴＴＩに使用されるべき場合、サブフレーム用の第４のタイプのＤＣＩを形成し、２つのタイプのＤＣＩがサブフレームの短縮ＴＴＩに使用されるべき場合、サブフレーム用の第２のタイプのＤＣＩおよび第３のタイプのＤＣＩを形成するステップと、第４のタイプのＤＣＩが使用される場合、サブフレームの少なくともＰＤＣＣＨ領域または開始短縮ＴＴＩ内で第４のタイプのＤＣＩを送信し、第２のタイプのＤＣＩおよび第３のタイプのＤＣＩが使用される場合、サブフレームのＰＤＣＣＨ領域または開始短縮ＴＴＩ内で第２のタイプのＤＣＩを、かつサブフレーム内の第２のタイプのＤＣＩの後の１つまたは複数の短縮ＴＴＩ内で第３のタイプのＤＣＩを送信するステップとを備える、ワイヤレス通信方法が提供され、短縮ＴＴＩは７個以下のＯＦＤＭシンボルを有し、第４のタイプのＤＣＩおよび第２のタイプのＤＣＩは互いに区別可能である。
【００１５】
本開示の第１２の一般的な態様では、サブフレームのＰＤＣＣＨ領域または開始短縮ＴＴＩ内で第４のタイプのＤＣＩまたは第２のタイプのＤＣＩを検出するステップと、検出されたＤＣＩが第４のタイプのＤＣＩである場合、第４のタイプのＤＣＩがサブフレーム内で最初に検出された場所の後の１つまたは複数の短縮ＴＴＩ内で第４のタイプのＤＣＩをさらに検出するステップと、検出されたＤＣＩが第２のタイプのＤＣＩである場合、サブフレーム内の第２のタイプのＤＣＩの後の１つまたは複数の短縮ＴＴＩ内で第３のタイプのＤＣＩをさらに検出するステップとを備える、ワイヤレス通信方法が提供され、短縮ＴＴＩは７個以下のＯＦＤＭシンボルを有する。
【００１６】
本開示の第１３の一般的な態様では、サブフレーム内の短縮ＴＴＩの長さが所定の長さよりも小さくない場合、サブフレーム用の１つのタイプのＤＣＩを形成し、サブフレーム内の短縮ＴＴＩの長さが所定の長さよりも小さい場合、サブフレーム用の２つのタイプのＤＣＩを形成するステップと、形成された１つのタイプのＤＣＩまたは形成された２つのタイプのＤＣＩを送信するステップとを備える、ワイヤレス通信方法が提供され、短縮ＴＴＩは７個以下のＯＦＤＭシンボルを有し、２つのタイプのＤＣＩのうちの一方は１つのスロットまたは１つのサブフレームに関する共通情報を搬送し、２つのタイプのＤＣＩのうちの他方はその対象短縮ＴＴＩに固有の情報を搬送する。
【００１７】
本開示の第１４の一般的な態様では、サブフレーム内の短縮ＴＴＩの長さが所定の長さよりも小さくない場合、サブフレーム用の１つのタイプのＤＣＩを検出し、サブフレーム内の短縮ＴＴＩの長さが所定の長さよりも小さい場合、サブフレーム用の２つのタイプのＤＣＩを検出するステップと、２つのタイプのＤＣＩのうちの一方から１つのスロットまたは１つのサブフレームに関する共通情報を取得し、２つのタイプのＤＣＩのうちの他方から対象短縮ＴＴＩに固有の情報を取得するステップとを備える、ワイヤレス通信方法が提供され、短縮ＴＴＩは７個以下のＯＦＤＭシンボルを有する。
【００１８】
本開示の第１５の一般的な態様では、無線フレーム内に短縮ＴＴＩサブフレームを示すためのＤＣＩを形成するステップと、無線フレームのサブフレーム＃０内、または以前の無線フレーム内のサブフレーム内のＣＳＳ内でＤＣＩを送信するステップとを備える、ＴＤＤ用のワイヤレス通信方法が提供され、短縮ＴＴＩサブフレームは、ＤｗＰＴＳ、ガードバンド、およびＵｐＰＴＳを有するサブフレームであり、ＤｗＰＴＳ、ガードバンド、およびＵｐＰＴＳの比率は、ＲＲＣによって任意に構成可能である。
【００１９】
本開示の第１６の一般的な態様では、無線フレームのサブフレーム＃０内、または以前の無線フレーム内のサブフレーム内のＣＳＳ内でＤＣＩを検出するステップと、検出されたＤＣＩに基づいて無線フレーム内の短縮ＴＴＩサブフレームを特定するステップとを備える、ＴＤＤ用のワイヤレス通信方法が提供され、短縮ＴＴＩサブフレームは、ＤｗＰＴＳ、ガードバンド、およびＵｐＰＴＳを有するサブフレームであり、ＤｗＰＴＳ、ガードバンド、およびＵｐＰＴＳの比率は、ＲＲＣによって任意に構成可能である。
【００２０】
一般的または具体的な実施形態は、システム、方法、集積回路、コンピュータプログラム、記憶媒体、またはそれらの任意の選択的な組合せとして実現されてもよいことに留意されたい。
【００２１】
開示された実施形態のさらなる利益および利点は、明細書および図面から明らかになる。利益および／または利点は、明細書および図面の様々な実施形態および特徴によって個別に取得されてもよく、それらは、そのような利益および／または利点のうちの１つまたは複数を取得するためにすべて提供される必要はない。
【００２２】
本開示の前述の特徴および他の特徴は、添付の図面と併せて、以下の説明および添付の特許請求の範囲からより完全に明らかになるであろう。これらの図面が本開示に従っていくつかの実施形態のみを描写し、従って、その範囲を限定すると考えるべきではなく、本開示は、添付図面を使用してさらなる特殊性および詳細を伴って記載される。
【図面の簡単な説明】
【００２３】
【図１】ＴＴＩ長短縮のいくつかの例を概略的に示す。
【図２】本開示の一実施形態に係る基地局によって実行されるワイヤレス通信方法のフローチャートを示す。
【図３】本開示の一実施形態に係るＵＥによって実行されるワイヤレス通信方法のフローチャートを示す。
【図４】本開示の一実施形態に係る２レベルＤＣＩ設計を概略的に示す。
【図５】本開示の一実施形態に係る基地局のブロック図を概略的に示す。
【図６】本開示の一実施形態に係るユーザ機器のブロック図を概略的に示す。
【図７】本開示の一実施形態に係る基地局によって実行されるワイヤレス通信方法のフローチャートを示す。
【図８】本開示の一実施形態に係るＵＥによって実行されるワイヤレス通信方法のフローチャートを示す。
【図９】本開示の一実施形態に係る基地局によって実行されるワイヤレス通信方法のフローチャートを示す。
【図１０】本開示の一実施形態に係るＵＥによって実行されるワイヤレス通信方法のフローチャートを示す。
【図１１】短縮ＴＴＩを有するサブフレーム用の１レベルＤＣＩまたは２レベルＤＣＩに関するＤＣＩ設計を概略的に示す。
【図１２】本開示の一実施形態に係る基地局によって実行されるＴＤＤ用のワイヤレス通信方法のフローチャートを示す。
【図１３】本開示の一実施形態に係るＵＥによって実行されるＴＤＤ用のワイヤレス通信方法のフローチャートを示す。
【図１４】ＴＤＤ通信における短縮ＴＴＩサブフレームを示すためのＤＣＩ設計を概略的に示す。
【図１５】ＣＡ／ＤＣ対応ＵＥのためのキャリアハンドリングを概略的に示す。
【図１６】本開示の一実施形態に係るキャリアアグリゲーションおよび／またはデュアルコネクティビティをサポートするワイヤレス通信方法のフローチャートを示す。
【発明を実施するための形態】
【００２４】
以下の発明を実施するための形態では、その一部を形成する添付の図面に対して参照が行われる。図面では、文脈が別途指示しない限り、同様の符号は、通常、同様の構成要素を特定する。本開示の態様は、多種多様な異なる構成で配置、置換、結合、および設計することができ、それらのすべてが明示的に企図され、本開示の一部をなすことは容易に理解されよう。
【００２５】
待ち時間低減は、３ＧＰＰ  ＲＡＮ１におけるトピックであり、主な方法は、伝送待ち時間を低減することができるように、たとえば、１４個のＯＦＤＭシンボル（１ｍｓ）から２〜７個のＯＦＤＭシンボルにＴＴＩ長を短縮することである。図１は、ＴＴＩ長短縮のいくつかの例を示す。図１では、上から下に向かって、第１のプロットは通常のＴＴＩを示し、すなわち、ＴＴＩ長は１サブフレームであり、第２のプロットは長さが１スロット（７個のＯＦＤＭシンボル）である短縮ＴＴＩを示し、第３のプロットは長さが４個または３個のＯＦＤＭシンボルである（たとえば、サブフレーム内の第１および第３のＴＴＩが４個のＯＦＤＭシンボルを有し、第２および第４のＴＴＩが３個のＯＦＤＭシンボルを有する）短縮ＴＴＩを示し、第４のプロットは、長さが２個のＯＦＤＭシンボルである短縮ＴＴＩを示す。
【００２６】
ＤＣＩのシグナリングオーバーヘッドは、パフォーマンス（たとえば、待ち時間またはユーザスループット）に大きく影響するので、ＤＣＩオーバーヘッドをいかに削減するかは重要な問題である。短縮ＴＴＩを有するサブフレームに関する２レベルＤＣＩの概念は、３ＧＰＰ  ＲＡＮ１の＃８４ｂｉｓ会議において議論されたが、詳細は未だ決定されていない。基本的には、短縮ＴＴＩを有する同じサブフレーム内で（低速ＤＣＩおよび高速ＤＣＩと呼ばれる）２つのタイプのＤＣＩを送信できることを意味する。低速ＤＣＩは、１つのスロットまたは１つのサブフレーム（ＵＥ固有またはセル固有）に関するいくつかの共通情報を搬送することができ、１つのサブフレーム内で１回または２回しか送信することができない。低速ＤＣＩは比較的大きいサイズであることができる。高速ＤＣＩは、スケジュールされた短縮ＴＴＩに固有の限定された情報しか搬送することができず、したがって、比較的小さいサイズである。高速ＤＣＩは、必要に応じて短縮ＴＴＩごとに送信することができる。一般に、高速ＤＣＩは、ＵＥ固有であると想定され、短縮ＴＴＩ内で送信される。
【００２７】
短縮ＴＴＩを有するサブフレームに関する２レベルＤＣＩの概念の下で、本開示の一実施形態はＤＣＩ設計を提案する。図２は、本開示の一実施形態に係る基地局によって実行されるワイヤレス通信方法２００のフローチャートを示す。ステップ２０１において、基地局は、サブフレーム内で通常のＴＴＩをスケジュールするか短縮ＴＴＩをスケジュールするかに応じて、第１のタイプのＤＣＩまたは第２のタイプのＤＣＩのいずれかを形成する。ここで、通常のＴＴＩは１４個のＯＦＤＭシンボル、すなわち１つのサブフレームを有し、短縮ＴＴＩは７個以下のＯＦＤＭシンボルを有する。第１のタイプのＤＣＩは、通常のＴＴＩ（すなわち、サブフレーム）をスケジュールするために使用されるので、それは既存のＬＴＥにおける任意の適切なＤＣＩフォーマットであり得る。第２のタイプのＤＣＩは、サブフレーム内で短縮ＴＴＩをスケジュールするために使用され、それは上記に記載された低速ＤＣＩであり得る。本開示の一実施形態では、第１のタイプのＤＣＩはＵＥ固有であり、サブフレームの最初の割当て短縮ＴＴＩをスケジュールするために使用される。第１のタイプのＤＣＩおよび第２のタイプのＤＣＩは互いに区別可能であり、たとえば、それらは同じサイズであるが、１ビットフィールドだけ異なることができ、したがって、ＵＥがＤＣＩを検出すると、それが第１のタイプのＤＣＩであるか第２のタイプのＤＣＩであるかを判定し、こうして、サブフレームが通常のサブフレームであるか、または短縮ＴＴＩを有するサブフレームであるかを判定する。ステップ２０２において、基地局は、サブフレーム内で第１のタイプのＤＣＩまたは第２のタイプのＤＣＩを送信する。第１のタイプのＤＣＩは、ＰＤＣＣＨ（物理ダウンリンク制御チャネル（Ｐｈｙｓｉｃａｌ  Ｄｏｗｎｌｉｎｋ  Ｃｏｎｔｒｏｌ  Ｃｈａｎｎｅｌ））領域またはｅＰＤＣＣＨ領域内で送信することができ、第２のタイプのＤＣＩは、ＰＤＣＣＨ領域またはＰＤＣＣＨ領域の後の短縮ＴＴＩ内で送信することができる。一例では、第１のタイプのＤＣＩと第２のタイプのＤＣＩの両方がＰＤＣＣＨ領域内で送信される。この状況下で、第１のタイプのＤＣＩおよび第２のタイプのＤＣＩが同じサイズである場合、ＵＥ側でブラインド復号（ＢＤ：Ｂｌｉｎｄ  Ｄｅｃｏｄｉｎｇ）時間を削減することができる。ステップ２０３において、第２のタイプのＤＣＩが送信され、別の短縮ＴＴＩがスケジュールされるべき場合、基地局は、サブフレーム内で第２のタイプのＤＣＩによってスケジュールされた前記短縮ＴＴＩに続く短縮ＴＴＩ内で第３のタイプのＤＣＩを形成し送信する。第２のタイプのＤＣＩが送信されると、それは、サブフレームが短縮ＴＴＩを有するサブフレームであることを意味する。したがって、サブフレーム内の第２のタイプのＤＣＩによってスケジュールされた短縮ＴＴＩ以外の別の短縮ＴＴＩがスケジュールされる必要があり得る。この状況下では、別の短縮ＴＴＩをスケジュールするために、第３のタイプのＤＣＩが送信される。第３のタイプのＤＣＩは、その対象短縮ＴＴＩに固有の情報を搬送する、上記に記載された高速ＤＣＩであり得る。一実施形態によれば、第３のタイプのＤＣＩは、サブフレーム内���第２のタイプのＤＣＩによってスケジュールされた短縮ＴＴＩの後の短縮ＴＴＩ内で、たとえば、第３のタイプのＤＣＩによってスケジュールされるべき短縮ＴＴＩ内で送信される。したがって、受信ＵＥは、サブフレーム内の第２のタイプのＤＣＩによってスケジュールされた短縮ＴＴＩの直後の短縮ＴＴＩから始まる第３のタイプのＤＣＩを検出するだけでよく、それにより、ＵＥ検出の複雑さが単純化され、ＢＤ時間が低減される。本開示の一実施形態では、基地局は、第１のタイプのＤＣＩ以外の、通常サブフレーム用のいかなる他のＤＣＩも送信しないはずである。
【００２８】
ＵＥ側において、図３は、本開示の一実施形態に係るＵＥによって実行されるワイヤレス通信方法３００のフローチャートを示す。ステップ３０１において、ＵＥは、サブフレーム内で通常のＴＴＩをスケジュールするための第１のタイプのＤＣＩ、または短縮ＴＴＩをスケジュールするための第２のタイプのＤＣＩを検出する。このステップにおいて、ＵＥは、たとえば、ＰＤＣＣＨ領域内でＤＣＩを検出する。検出が成功した場合、ＵＥは、検出されたＤＣＩが第１のタイプのＤＣＩであるか第２のタイプのＤＣＩであるかを判定する。検出が成功しなかった場合、ＵＥは、他の領域内、たとえば、ｅＰＤＣＣＨ領域内または他の短縮ＴＴＩ内で検出の実行を続行することができ、あるいは、ＵＥは、検出の実行を続行せず、検出の失敗を確認することができる。ステップ３０２において、検出されたＤＣＩが第２のタイプのＤＣＩである場合、ＵＥは、サブフレーム内で第２のタイプのＤＣＩによってスケジュールされた前記短縮ＴＴＩの直後の短縮ＴＴＩから始まる短縮ＴＴＩ内で第３タイプのＤＣＩをさらに検出する。上記に記載されたように、第２のタイプのＤＣＩが検出された場合、それはサブフレームが短縮ＴＴＩを有するサブフレームであることを意味するので、第３のタイプのＤＣＩが基地局によって送信されてもよい。したがって、ＵＥは、サブフレーム内で第２のタイプのＤＣＩによってスケジュールされた前記短縮ＴＴＩの直後の短縮ＴＴＩから始めて、第３タイプのＤＣＩをさらに検出する必要がある。一方、第１のタイプのＤＣＩが検出された場合、それは現在のサブフレーム内で通常のＴＴＩがスケジュールされていることを意味し、したがって、ＵＥは第３のタイプのＤＣＩを検出しない。
【００２９】
図４は、本開示の一実施形態に係る２レベルＤＣＩ設計を概略的に示す。図示されたサブフレームには、４つの短縮ＴＴＩ（ｓＴＴＩ）が存在し、それらは、ｓＴＴＩ＃１、ｓＴＴＩ＃２、ｓＴＴＩ＃３、およびｓＴＴＩ＃４である。ＰＤＣＣＨはｓＴＴＩ＃１内で送信される。ＰＤＣＣＨ領域内で送信される低速ＤＣＩは、ｓＴＴＩ＃３内でｓＰＤＳＣＨ（短縮ＴＴＩ内で送信されるＰＤＳＣＨ）を割り当てる、すなわち、ｓＴＴＩ＃３をスケジュールする。ｓＴＴＩ＃１内で低速ＤＣＩを検出した後、ＵＥは、ｓＴＴＩ＃２から始めるのではなく、このサブフレーム内のｓＴＴＩ＃４から始まる高速ＤＣＩを検出する。したがって、それにより、ＵＥ検出の複雑さが単純化され、ブラインド復号時間が短縮される可能性がある。
【００３０】
上記のワイヤレス通信方法に対応して、本開示の実施形態は、基地局およびユーザ機器も提供する。図５は、本開示の一実施形態に係る基地局５００のブロック図を概略的に示す。基地局５００は、サブフレーム内で通常のＴＴＩをスケジュールするべきか短縮ＴＴＩをスケジュールするべきかに応じて、第１のタイプのＤＣＩまたは第２のタイプのＤＣＩのいずれかを形成するように動作可能な回路５０１と、サブフレーム内で第１のタイプのＤＣＩまたは第２のタイプのＤＣＩを送信するように動作可能な送信部５０２とを備えることができ、通常のＴＴＩは１４個のＯＦＤＭシンボルを有し、短縮ＴＴＩは７個以下のＯＦＤＭシンボルを有し、第１のタイプのＤＣＩは通常のＴＴＩをスケジュールし、第２のタイプのＤＣＩは短縮ＴＴＩをスケジュールし、第１のタイプのＤＣＩおよび第２のタイプのＤＣＩは互いに区別可能であり、第２のタイプのＤＣＩが送信され、別の短縮ＴＴＩがスケジュールされるべき場合、回路５０１は第３のタイプのＤＣＩを形成するようにさらに動作可能であり、送信部は、サブフレーム内で第２のタイプのＤＣＩによってスケジュールされた前記短縮ＴＴＩの後の短縮ＴＴＩ内で、第３のタイプのＤＣＩを送信するようにさらに動作可能である。
【００３１】
加えて、図５に示されたように、本開示に係る基地局は、場合によっては、関連プログラムを実行して、基地局５００内のそれぞれのユニットの様々なデータおよび制御動作を処理するためのＣＰＵ（中央処理装置（Ｃｅｎｔｒａｌ  Ｐｒｏｃｅｓｓｉｎｇ  Ｕｎｉｔ））５１０、ＣＰＵ５１０による様々なプロセスおよび制御を実行するために必要な様々なプログラムを記憶するためのＲＯＭ（読取り専用メモリ（Ｒｅａｄ  Ｏｎｌｙ  Ｍｅｍｏｒｙ））５１３、ＣＰＵ５１０によるプロセスおよび制御の手順において一時的に生成される中間データを記憶するためのＲＡＭ（ランダムアクセスメモリ（Ｒａｎｄｏｍ  Ａｃｃｅｓｓ  Ｍｅｍｏｒｙ））５１５、ならびに／または様々なプログラム、データなどを記憶するためのストレージユニット５１７を含む。上記の回路５０１、ならびに、送信部５０２、ＣＰＵ５１０、ＲＯＭ５１３、ＲＡＭ５１５、および／またはストレージユニット５１７などは、データおよび／またはコマンドバス５２０を介して相互接続され、互いの間で信号を転送することができる。
【００３２】
上述されたそれぞれの構成要素は、本開示の範囲を限定するものではない。本開示の一実施形態によれば、上記の回路５０１および送信部５０２の機能は、ハードウェアによって実装されてもよく、上記のＣＰＵ５１０、ＲＯＭ５１３、ＲＡＭ５１５、および／またはストレージユニット５１７は、必要でなくてもよい。あるいは、上記の回路５０１および／または送信部５０２の一部またはすべての機能は、上記のＣＰＵ５１０、ＲＯＭ５１３、ＲＡＭ５１５、および／またはストレージユニット５１７などと組み合わされた機能ソフトウェアによって実装されてもよい。
【００３３】
図６は、本開示の一実施形態に係るユーザ機器６００のブロック図を概略的に示す。ユーザ機器６００は、サブフレーム内で通常のＴＴＩをスケジュールするための第１のタイプのＤＣＩまたは短縮ＴＴＩをスケジュールするための第２のタイプのＤＣＩを検出するように動作可能な検出部６０１と、検出されたＤＣＩが第１のタイプのＤＣＩであるか第２のタイプのＤＣＩであるかを判定するように動作可能な回路６０２とを備えることができ、検出されたＤＣＩが第２のタイプのＤＣＩである場合、検出部６０１は、サブフレーム内で第２のタイプのＤＣＩによってスケジュールされた前記短縮ＴＴＩの直後の短縮ＴＴＩから始まる短縮ＴＴＩ内で、第３のタイプのＤＣＩを検出するようにさらに動作可能であり、通常のＴＴＩは１４個のＯＦＤＭシンボルを有し、短縮ＴＴＩは７個以下のＯＦＤＭシンボルを有する。
【００３４】
加えて、図６に示されたように、本開示に係るユーザ機器は、場合によっては、関連プログラムを実行して、ユーザ機器６００内のそれぞれのユニットの様々なデータおよび制御動作を処理するためのＣＰＵ（中央処理装置（Ｃｅｎｔｒａｌ  Ｐｒｏｃｅｓｓｉｎｇ  Ｕｎｉｔ））６１０、ＣＰＵ６１０による様々なプロセスおよび制御を実行するために必要な様々なプログラムを記憶するためのＲＯＭ（読取り専用メモリ（Ｒｅａｄ  Ｏｎｌｙ  Ｍｅｍｏｒｙ））６１３、ＣＰＵ６１０によるプロセスおよび制御の手順において一時的に生成される中間データを記憶するためのＲＡＭ（ランダムアクセスメモリ（Ｒａｎｄｏｍ  Ａｃｃｅｓｓ  Ｍｅｍｏｒｙ））６１５、ならびに／または様々なプログラム、データなどを記憶するためのストレージユニット６１７を含む。上記の検出部６０１、ならびに、回路６０２、ＣＰＵ６１０、ＲＯＭ６１３、ＲＡＭ６１５、および／またはストレージユニット６１７などは、データおよび／またはコマンドバス６２０を介して相互接続され、互いの間で信号を転送することができる。
【００３５】
上述されたそれぞれの構成要素は、本開示の範囲を限定するものではない。本開示の一実施形態によれば、上記の検出部６０１および回路６０２の機能は、ハードウェアによって実装されてもよく、上記のＣＰＵ６１０、ＲＯＭ６１３、ＲＡＭ６１５、および／またはストレージユニット６１７は、必要でなくてもよい。あるいは、上記の検出部６０１および／または回路６０２の一部またはすべての機能は、上記のＣＰＵ６１０、ＲＯＭ６１３、ＲＡＭ６１５、および／またはストレージユニット６１７などと組み合わされた機能ソフトウェアによって実装されてもよい。
【００３６】
本開示の実施形態は、短縮ＴＴＩを有するサブフレームのための２レベルＤＣＩおよび１レベルＤＣＩの両方をサポートする方法も提供する。１レベルＤＣＩは、短縮ＴＴＩを有するサブフレームにただ１つのタイプのＤＣＩが使用されることを意味する。
【００３７】
一実施形態では、１レベルＤＣＩおよび２レベルＤＣＩのための固定手法を採用することができる。たとえば、より長い短縮ＴＴＩ（たとえば、７個のＯＦＤＭシンボル）は１レベルＤＣＩを使用し、より短い短縮ＴＴＩ（たとえば、３／４個または２個のＯＦＤＭシンボル）は２レベルＤＣＩを使用する。それに応じて、図７は、本開示の一実施形態に係る基地局によって実行されるワイヤレス通信方法７００のフローチャートを示す。ステップ７０１において、基地局は、サブフレーム内の短縮ＴＴＩの長さが所定の長さよりも小さくない場合、サブフレーム用の１つのタイプのＤＣＩを形成し、サブフレーム内の短縮ＴＴＩの長さが所定の長さよりも小さい場合、サブフレーム用の２つのタイプのＤＣＩを形成する。ここで、１つのタイプのＤＣＩは、サブフレーム内の短縮ＴＴＩをスケジュールするために使用される任意のＤＣＩであり得るし、サブフレーム内の様々な短縮ＴＴＩをスケジュールするために同じタイプのＤＣＩが使用される。たとえば、スケジュールされる必要がある各短縮ＴＴＩ内で、同じ１つのタイプの１つのＤＣＩが送信される。２つのタイプのＤＣＩは低速ＤＣＩおよび高速ＤＣＩであり得るし、低速ＤＣＩは、１つのスロットまたは１つのサブフレームに関する共通情報を搬送し、高速ＤＣＩは、その対象（スケジュールされた）短縮ＴＴＩに固有の情報を搬送する。所定の長さは、ＲＲＣ（無線リソース制御（Ｒａｄｉｏ  Ｒｅｓｏｕｒｃｅ  Ｃｏｎｔｒｏｌ））レイヤまたはＭＡＣ（媒体アクセス制御（Ｍｅｄｉｕｍ  Ａｃｃｅｓｓ  Ｃｏｎｔｒｏｌ））レイヤによって指定または構成することができる。たとえば、それは７個のＯＦＤＭシンボルであり得る。ステップ７０２において、基地局は、形成された１つのタイプのＤＣＩまたは形成された２つのタイプのＤＣＩを送信する。１つのタイプのＤＣＩを送信するとき、基地局は、スケジュールされるべき各短縮ＴＴＩ内で１つのタイプの１つのＤＣＩを送信することができる。２つのタイプのＤＣＩを送信するとき、低速ＤＣＩは各スロットまたは各サブフレームのみで送信することができ、高速ＤＣＩは短縮ＴＴＩがスケジュールされる必要があるたびに送信することができる。
【００３８】
図８は、本開示の一実施形態に係るＵＥによって実行されるワイヤレス通信方法８００のフローチャートを示す。ステップ８０１において、ＵＥは、サブフレーム内の短縮ＴＴＩの長さが所定の長さよりも小さくない場合、サブフレーム用の１つのタイプのＤＣＩを検出し、サブフレーム内の短縮ＴＴＩの長さが所定の長さよりも小さい場合、サブフレーム用の２つのタイプのＤＣＩを検出する。たとえば、サブフレーム内の短縮ＴＴＩの長さが所定の長さよりも小さくない場合、ＵＥは、サブフレーム内の各短縮ＴＴＩ内で同じタイプのＤＣＩを検出することができ、サブフレーム内の短縮ＴＴＩの長さが所定の長さよりも小さい場合、ＵＥは、最初に低速ＤＣＩを検出し、次いで、低速ＤＣＩが検出されたときにサブフレーム内で高速ＤＣＩを検出することができる。ステップ８０２において、ＵＥは、２つのタイプのＤＣＩのうちの一方（低速ＤＣＩ）から１つのスロットまたは１つのサブフレームに関する共通情報を取得し、２つのタイプのＤＣＩのうちの他方（高速ＤＣＩ）から対象短縮ＴＴＩに固有の情報を取得する。
【００３９】
それに応じて、本発明の実施形態は、上記のワイヤレス通信方法に対応する基地局およびユーザ機器を提供する。基地局は、サブフレーム内の短縮ＴＴＩの長さが所定の長さよりも小さくない場合、サブフレーム用の１つのタイプのＤＣＩを形成し、サブフレーム内の短縮ＴＴＩの長さが所定の長さよりも小さい場合、サブフレーム用の２つのタイプのＤＣＩを形成するように動作可能な回路と、形成された１つのタイプのＤＣＩまたは形成された２つのタイプのＤＣＩを送信するように動作可能な送信部とを備え、短縮ＴＴＩは７個以下のＯＦＤＭシンボルを有し、２つのタイプのＤＣＩのうちの一方は１つのスロットまたは１つのサブフレームに関する共通情報を搬送し、２つのタイプのＤＣＩのうちの他方はその対象短縮ＴＴＩに固有の情報を搬送する。ユーザ機器は、サブフレーム内の短縮ＴＴＩの長さが所定の長さよりも小さくない場合、サブフレーム用の１つのタイプのＤＣＩを検出し、サブフレーム内の短縮ＴＴＩの長さが所定の長さよりも小さい場合、サブフレーム用の２つのタイプのＤＣＩを検出するように動作可能な検出部と、２つのタイプのＤＣＩのうちの一方から１つのスロットまたは１つのサブフレームに関する共通情報を取得し、２つのタイプのＤＣＩのうちの他方から対象短縮ＴＴＩに固有の情報を取得するように動作可能な回路とを備え、短縮ＴＴＩは７個以下のＯＦＤＭシンボルを有する。上記の基地局およびユーザ機器の具体的な構造は、図５および図６を参照することができる。
【００４０】
別の実施形態では、１レベルＤＣＩおよび２レベルＤＣＩのための動的手法を採用することができる。ＵＥが（たとえば、ＰＤＣＣＨ領域または開始短縮ＴＴＩ内で）１レベルＤＣＩを検出した場合、１レベルＤＣＩは次の短縮ＴＴＩ内でも使用される。ＵＥが（たとえば、ＰＤＣＣＨ領域または開始短縮ＴＴＩ内で）低速ＤＣＩを検出した場合、２レベルＤＣＩはサブフレーム内で使用され、高速ＤＣＩは次の短縮ＴＴＩ内で使用される。開始短縮ＴＴＩは、サブフレーム内の最初の短縮ＴＴＩを意味することに留意されたい。２つのケースが存在する。１つのケースでは、短縮ＴＴＩはサブフレームの始めから配置され、したがって、開始短縮ＴＴＩはＰＤＣＣＨ領域と重複する。別のケースでは、短縮ＴＴＩはＰＤＣＣＨ領域の後に配置され、次いで、開始短縮ＴＴＩはＰＤＣＣＨ領域の後の最初の短縮ＴＴＩである。上記の原理に従って、図９は、本開示の一実施形態に係る基地局によって実行されるワイヤレス通信方法９００のフローチャートを示す。ステップ９０１において、基地局は、１つのタイプのＤＣＩがサブフレームのすべての短縮ＴＴＩに使用されるべき場合、サブフレーム用の第４のタイプのＤＣＩを形成し、２つのタイプのＤＣＩがサブフレームの短縮ＴＴＩに使用されるべき場合、サブフレーム用の第２のタイプのＤＣＩおよび第３のタイプのＤＣＩを形成する。ここで、第４のタイプのＤＣＩは、上述された短縮ＴＴＩのための１レベルＤＣＩを指し、第２のタイプのＤＣＩおよび第３のタイプのＤＣＩは、それぞれ、上記に記載された低速ＤＣＩおよび高速ＤＣＩであり得る。ステップ９０２において、基地局は、第４のタイプのＤＣＩが使用される場合、サブフレームの少なくともＰＤＣＣＨ領域または開始短縮ＴＴＩ内で第４のタイプのＤＣＩを送信することができる。ステップ９０２において、基地局は、第２のタイプのＤＣＩおよび第３のタイプのＤＣＩが使用される場合、サブフレームのＰＤＣＣＨ領域または開始短縮ＴＴＩ内で第２のタイプのＤＣＩを、かつサブフレーム内の第２のタイプのＤＣＩの後の１つまたは複数の短縮ＴＴＩ内で第３のタイプのＤＣＩを送信することもできる。ここで、第４のタイプのＤＣＩおよび第２のタイプのＤＣＩは、ＵＥ側で互いに区別可能である。基地局は、サブフレームに１レベルＤＣＩが使用されるか２レベルＤＣＩが使用されるかをＵＥが検出し決定するために、サブフレームのＰＤＣＣＨ領域または開始短縮ＴＴＩ内で第４のタイプのＤＣＩまたは第２のタイプのＤＣＩを送信する。１レベルＤＣＩが使用されるとき、基地局は、次の短縮ＴＴＩがスケジュールされている場合、次の短縮ＴＴＩ内で１レベルＤＣＩも送信する。２レベルＤＣＩが使用されるとき、基地局は、次の短縮ＴＴＩがスケジュールされている場合、次の短縮ＴＴＩ内で第２のタイプのＤＣＩ（たとえば、低速ＤＣＩ）とは異なる第３のタイプのＤＣＩ（たとえば、高速ＤＣＩ）を送信する。
【００４１】
ＵＥ側において、図１０は、本開示の一実施形態に係るＵＥによって実行されるワイヤレス通信方法１０００のフローチャートを示す。ステップ１００１において、ＵＥは、サブフレームのＰＤＣＣＨ領域または開始短縮ＴＴＩ内で、第４のタイプのＤＣＩまたは第２のタイプのＤＣＩを検出する。ステップ１００２において、検出されたＤＣＩが第４のタイプのＤＣＩである場合、ＵＥは、第４のタイプのＤＣＩがサブフレーム内で最初に検出された場所の後の１つまたは複数の短縮ＴＴＩ内で第４のタイプのＤＣＩをさらに検出する。ステップ１００３において、検出されたＤＣＩが第２のタイプのＤＣＩである場合、ＵＥは、サブフレーム内の第２のタイプのＤＣＩの後の１つまたは複数の短縮ＴＴＩ内で第３のタイプのＤＣＩをさらに検出する。この実施形態では、ＵＥは、サブフレームのＰＤＣＣＨ領域または開始短縮ＴＴＩ内で検出されたＤＣＩタイプに基づいて、１レベルＤＣＩまたは２レベルＤＣＩのいずれが使用されたかを判定することができる。
【００４２】
図１１は、短縮ＴＴＩを有するサブフレーム用の１レベルＤＣＩまたは２レベルＤＣＩに関するＤＣＩ設計を概略的に示す図。図示されたサブフレームには、４つの短縮ＴＴＩ（ｓＴＴＩ）が存在し、それらは、ｓＴＴＩ＃１、ｓＴＴＩ＃２、ｓＴＴＩ＃３、およびｓＴＴＩ＃４である。ＰＤＣＣＨはｓＴＴＩ＃１内で送信される。ＰＤＣＣＨ領域内で送信されるＤＣＩ（第１のＤＣＩ）が第４のタイプのＤＣＩ（すなわち、１レベルＤＣＩ）である場合、短縮ＴＴＩ内で送信される次のＤＣＩ（第２のＤＣＩ）も第４のタイプのＤＣＩである。ＰＤＣＣＨ領域内で送信されるＤＣＩ（第１のＤＣＩ）が第２のタイプのＤＣＩ（たとえば、低速ＤＣＩ）である場合、それは２レベルＤＣＩが使用されることを示し、短縮ＴＴＩ内で送信される次のＤＣＩ（第２のＤＣＩ）は、第３のタイプのＤＣＩ（たとえば、高速ＤＣＩ）である。
【００４３】
さらに、一実施形態では、ＵＥは、サブフレームのＰＤＣＣＨ領域内で検出されたＤＣＩタイプに基づいて、サブフレームが通常のサブフレームであるか、または短縮ＴＴＩを有するサブフレームであるかを判定することもできる。この場合、基地局は、１４個のＯＦＤＭシンボルを有する通常のＴＴＩがスケジュールされるべきであり、サブフレームのＰＤＣＣＨ領域内で第１のタイプのＤＣＩが送信される場合、サブフレーム用の第１のタイプのＤＣＩをさらに形成し送信することができる。第１のタイプのＤＣＩは、上記に記載されたように、通常のサブフレームをスケジュールするための任意のＤＣＩである。ここで、ＵＥは、ＰＤＣＣＨ領域または開始短縮ＴＴＩ内で３つのタイプのＤＣＩ、すなわち、互いに区別可能な第１のタイプのＤＣＩ、第２のタイプのＤＣＩ、および第４のタイプのＤＣＩを検出することができる。一実施形態では、それらは同じサイズであり得て、２ビットフィールドによって区別可能であり得る。ＵＥがＰＤＣＣＨ領域内でＤＣＩを検出した後、ＵＥは、サブフレームが通常のサブフレームであるか、または短縮ＴＴＩを有するサブフレームであるかを判定することができ、サブフレームが短縮ＴＴＩを有するサブフレームであるとき、２レベルＤＣＩまたは１レベルＤＣＩのいずれが使用されるかを判定することもできる。第１のタイプのＤＣＩが検出されると、すなわち、通常のサブフレームが適用されると、ＵＥはサブフレーム内でいかなる他のＤＣＩも検出しない。
【００４４】
それに応じて、本発明の実施形態は、上記のワイヤレス通信方法に対応する基地局およびユーザ機器を提供する。基地局は、１つのタイプのＤＣＩがサブフレームのすべての短縮ＴＴＩに使用されるべき場合、サブフレーム用の第４のタイプのＤＣＩを形成し、２つのタイプのＤＣＩがサブフレームの短縮ＴＴＩに使用されるべき場合、サブフレーム用の第２のタイプのＤＣＩおよび第３のタイプのＤＣＩを形成するように動作可能な回路と、第４のタイプのＤＣＩが使用される場合、サブフレームの少なくともＰＤＣＣＨ領域または開始短縮ＴＴＩ内で第４のタイプのＤＣＩを送信し、第２のタイプのＤＣＩおよび第３のタイプのＤＣＩが使用される場合、サブフレームのＰＤＣＣＨ領域または開始短縮ＴＴＩ内で第２のタイプのＤＣＩを、かつサブフレーム内の第２のタイプのＤＣＩの後の１つまたは複数の短縮ＴＴＩ内で第３のタイプのＤＣＩを送信するように動作可能な送信部とを備えることができる。一実施形態では、回路は、１４個のＯＦＤＭシンボルを有する通常のＴＴＩがスケジュールされるべき場合、サブフレーム用の第１のタイプのＤＣＩを形成するようにさらに動作可能であり、送信部は、サブフレームのＰＤＣＣＨ領域内で第１のタイプのＤＣＩを送信するようにさらに動作可能であり、第１のタイプのＤＣＩ、第２のタイプのＤＣＩ、および第４のタイプのＤＣＩは互いに区別可能である。一実施形態では、第１のタイプのＤＣＩ、第２のタイプのＤＣＩ、および第４のタイプのＤＣＩは、同じサイズであり、２ビットフィールドによって区別可能である。ユーザ機器は、サブフレームのＰＤＣＣＨ領域または開始短縮ＴＴＩ内で第４のタイプのＤＣＩまたは第２のタイプのＤＣＩを検出するように動作可能な検出部と、検出されたＤＣＩが第４のタイプのＤＣＩであるか第２のタイプのＤＣＩであるかを判定するように動作可能な回路とを備えることができ、検出されたＤＣＩが第４のタイプのＤＣＩである場合、検出部は、第４のタイプのＤＣＩがサブフレーム内で最初に検出された場所の後の１つまたは複数の短縮ＴＴＩ内で第４のタイプのＤＣＩを検出するようにさらに動作可能であり、検出されたＤＣＩが第２のタイプのＤＣＩである場合、検出部は、サブフレーム内の第２のタイプのＤＣＩの後の１つまたは複数の短縮ＴＴＩ内で第３のタイプのＤＣＩを検出するようにさらに動作可能である。一実施形態では、検出部は、サブフレームのＰＤＣＣＨ領域内で１４個のＯＦＤＭシンボルを有する通常のＴＴＩをスケジュールするための第１のタイプのＤＣＩを検出するようにさらに動作可能であり、第１のタイプのＤＣＩが検出された場合、検出部は、サブフレーム内でそれ以上ＤＣＩを検出しないように動作可能である。上記の基地局およびユーザ機器の具体的な構造は、図５および図６を参照することができる。
【００４５】
上記は、ＦＤＤ（周波数分割複信（Ｆｒｅｑｕｅｎｃｙ  Ｄｉｖｉｓｉｏｎ  Ｄｕｐｌｅｘ））通信における短縮ＴＴＩを有するサブフレームのためのＤＣＩ設計を記載する。ＴＤＤ（時分割複信（Ｔｉｍｅ  Ｄｉｖｉｓｉｏｎ  Ｄｕｐｌｅｘ））通信の場合、待ち時間を低減するために、本開示の一実施形態は、本開示において短縮ＴＴＩサブフレームと呼ばれる新しいタイプのサブフレームを導入する。ＴＤＤにおける短縮ＴＴＩサブフレームは、ＤｗＰＴＳ、ガードバンド、およびＵｐＰＴＳを含むサブフレームであり、ＤｗＰＴＳ、ガードバンド、およびＵｐＰＴＳの比率は、ＲＲＣによって任意に構成可能である。本開示の一実施形態によれば、無線フレーム内の１つまたは複数のサブフレームは短縮ＴＴＩサブフレームを使用することができ、したがって、ダウンリンク送信およびアップリンク送信は、待ち時間を低減するように柔軟に適合させることができる。無線フレーム内のどのサブフレームが短縮ＴＴＩサブフレームであるかをＵＥが知るために、ＤＣＩを送信して指示を行うことができる。それに応じて、図１２は、本開示の一実施形態に係る基地局によって実行されるＴＤＤ用のワイヤレス通信方法１２００のフローチャートを示す。ステップ１２０１において、基地局は、無線フレーム内で短縮ＴＴＩサブフレームを示すためのＤＣＩを形成する。ステップ１２０２において、基地局は、無線フレームのサブフレーム＃０内、または以前の無線フレーム内のサブフレーム内のＣＳＳ（共通探索空間（Ｃｏｍｍｏｎ  Ｓｅａｒｃｈ  Ｓｐａｃｅ））内でＤＣＩを送信する。ＵＥ側において、図１３は、本開示の一実施形態に係るＵＥによって実行されるＴＤＤ用のワイヤレス通信方法１３００のフローチャートを示す。ステップ１３０１で、ＵＥは、無線フレームのサブフレーム＃０内、または以前の無線フレーム内のサブフレーム内のＣＳＳ内でＤＣＩを検出する。ステップ１３０２において、ＵＥは、検出されたＤＣＩに基づいて、無線フレーム内の短縮ＴＴＩサブフレームを特定する。一実施形態では、ＭＢＳＦＮ（マルチメディアブロードキャストマルチキャストサービス単一周波数ネットワーク（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームおよび／またはアップリンクサブフレームおよび／または特殊サブフレームのみが、短縮ＴＴＩサブフレームであるように構成された潜在的なサブフレームであり得る。
【００４６】
図１４は、ＴＤＤ通信における短縮ＴＴＩサブフレームを示すためのＤＣＩ設計を概略的に示す。図１４に示されたように、サブフレーム＃０内、または以前の無線フレーム内のサブフレーム内のＣＳＳ内で送信されるＤＣＩは、どのサブフレームが新しいタイプのサブフレーム（すなわち、短縮ＴＴＩサブフレーム）であるかを示す。図示された例では、サブフレーム＃７は短縮ＴＴＩサブフレームとして示されている。
【００４７】
一実施形態では、ＤＣＩは、ｅＩＭＴＡ（拡張干渉軽減およびトラフィック適合（ｅｎｈａｎｃｅｄ  Ｉｎｔｅｒｆｅｒｅｎｃｅ  Ｍｉｔｉｇａｔｉｏｎ  ａｎｄ  Ｔｒａｆｆｉｃ  Ａｄａｐｔａｔｉｏｎ））情報も含むことができる。たとえば、このＤＣＩ内には２つのフィールドが存在することができる。１つのフィールドはｅＩＭＴＡ構成を示すために使用され、別のフィールドは短縮ＴＴＩサブフレーム構成を示すために使用される。この場合、ｅＩＭＴＡと短縮ＴＴＩサブフレームの両方をサポートするＵＥの場合、ＣＳＳ内でサブフレームタイプ上のＤＣＩを１つだけ監視する必要がある。短縮ＴＴＩサブフレームをサポートするが、ｅＩＭＴＡはサポートしないＵＥに関しては、ｅＩＭＴＡ部分を無視することによって同じＤＣＩを監視することもできる。
【００４８】
それに応じて、本発明の実施形態は、上記のワイヤレス通信方法に対応するＴＤＤ用の基地局およびユーザ機器を提供する。基地局は、無線フレーム内に短縮ＴＴＩサブフレームを示すためのＤＣＩを形成するように動作可能な回路と、無線フレームのサブフレーム＃０内、または以前の無線フレーム内のサブフレーム内のＣＳＳ内でＤＣＩを送信するように動作可能な送信部とを備えることができ、短縮ＴＴＩサブフレームは、ＤｗＰＴＳ、ガードバンド、およびＵｐＰＴＳを有するサブフレームであり、ＤｗＰＴＳ、ガードバンド、およびＵｐＰＴＳの比率は、ＲＲＣによって任意に構成可能である。ユーザ機器は、無線フレームのサブフレーム＃０内、または以前の無線フレーム内のサブフレーム内のＣＳＳ内でＤＣＩを検出するように動作可能な検出部と、検出されたＤＣＩに基づいて無線フレーム内の短縮ＴＴＩサブフレームを特定するように動作可能な回路とを備えることができ、短縮ＴＴＩサブフレームは、ＤｗＰＴＳ、ガードバンド、およびＵｐＰＴＳを有するサブフレームであり、ＤｗＰＴＳ、ガードバンド、およびＵｐＰＴＳの比率は、ＲＲＣによって任意に構成可能である。上記の基地局およびユーザ機器の具体的な構造は、図５および図６を参照することができる。
【００４９】
本開示の別の実施形態は、ＣＡ（キャリアアグリゲーション（Ｃａｒｒｉｅｒ  Ａｇｇｒｅｇａｔｉｏｎ））対応基地局、またはＣＡおよび／もしくはＤＣ（デュアルコネクティビティ（Ｄｕａｌ  Ｃｏｎｎｅｃｔｉｖｉｔｙ））対応ＵＥにおいて、短縮ＴＴＩを処理する方法を提供する。基本概念は、１つの別個のＴｘ／Ｒｘチェーン内の１つのキャリア周波数内で短縮ＴＴＩを処理することであり、別個のＴｘ／Ｒｘチェーンは短縮ＴＴＩを仮想キャリアとみなす。別個のＴｘ／Ｒｘチェーンによる短縮ＴＴＩの物理レイヤ処理は、実キャリアの物理レイヤ処理と同じであり得る。別個のＴｘ／Ｒｘチェーンによって仮想キャリアとして処理される短縮ＴＴＩのための電力制御機構は、ＣＡまたはＤＣに使用されるのと同じまたは同様の機構を使用することもできる。たとえば、ＵＥの総電力に基づいて、通常のＴＴＩと短縮ＴＴＩとの間で電力をスケーリングすることができる。電力ヘッドルーム通知（ＰＨＲ：Ｐｏｗｅｒ  Ｈｅａｄｒｏｏｍ  Ｒｅｐｏｒｔ）は、短縮ＴＴＩの仮想キャリアについて個別に通知され得るか、短縮ＴＴＩの仮想キャリアおよび他のキャリアまたは仮想チャネル（他のＴＴＩ）について一緒に通知され得る。短縮ＴＴＩのアクティブ化／非アクティブ化に、ＣＡまたはＤＣにおける既存のアクティブ化／非アクティブ化機構を使用することもできる。短縮ＴＴＩ用のキャリア周波数（すなわち、実キャリア）は、通常のＴＴＩとは別個のキャリアであり得る。この場合、短縮ＴＴＩ用の仮想キャリアの処理は、その実キャリアの処理と同じである。あるいは、短縮ＴＴＩ用の仮想キャリアのキャリア周波数は、通常のＴＴＩ用のキャリアのキャリア周波数と同じであり得るし、言い換えれば、短縮ＴＴＩおよび通常のＴＴＩは同じ実キャリアを共有する。この場合、短縮ＴＴＩおよび通常のＴＴＩはまた、別々のＴｘ／Ｒｘチェーン内で（すなわち、仮想キャリアとして）別々に処理される。仮想キャリアごとに、物理レイヤ処理は実キャリアと同じである。図１５は、ＣＡ／ＤＣ対応ＵＥのためのキャリアハンドリングを概略的に示す。図１５に示されたように、ＵＥは３つのキャリアを扱うことができる。短縮ＴＴＩが含まれると、短縮ＴＴＩを仮想キャリアとして処理するために１つのキャリア処理能力が使用され、他の２つのキャリア処理能力は、通常のＴＴＩを処理するために使用することができる。ＢＤ時間の数は各キャリアにおいて独立している。一実施形態では、短縮ＴＴＩは、ＳｃｅｌｌまたはＰｓｃｅｌｌ内で割り当てられる。この場合、Ｓｃｅｌｌの非アクティブ化は通常のＴＴＩだけに戻ることができるので、フォールバックは必要ではない。
【００５０】
図１６は、本開示の一実施形態に係るキャリアアグリゲーションおよび／またはデュアルコネクティビティをサポートするワイヤレス通信方法１６００のフローチャートを示す。ワイヤレス通信方法は、１つの別個のＴｘ／Ｒｘチェーン内の１つのキャリア周波数内で短縮ＴＴＩを処理するステップ１６０１と、短縮ＴＴＩを送信または受信するステップ１６０２とを備える。方法１６００は、基地局またはユーザ機器によって実行することができる。
【００５１】
それに応じて、本発明の実施形態は、上記のワイヤレス通信方法に対応する、キャリアアグリゲーションをサポートする基地局と、キャリアアグリゲーションおよび／またはデュアルコネクティビティをサポートするユーザ機器とを提供する。基地局またはユーザ機器は、仮想キャリアとして１つの別個のＴｘ／Ｒｘチェーン内の１つのキャリア周波数内で短縮ＴＴＩを処理するように動作可能な回路と、仮想キャリア内で短縮ＴＴＩを送信または受信するように動作可能なトランシーバとを備えることができる。上記の基地局およびユーザ機器の具体的な構造は、送信部または検出部がトランシーバによって置き換えられていることを除き、図５および図６を参照することができる。
【００５２】
本開示は、ソフトウェア、ハードウェア、またはハードウェアと協働するソフトウェアによって実現することができる。上述された各実施形態の説明において使用された各機能ブロックは、集積回路としてのＬＳＩによって実現することができ、各実施形態において記載された各プロセスは、ＬＳＩによって制御されてもよい。それらはチップとして個別に形成されてもよいし、１つのチップは機能ブロックの一部またはすべてを含むように形成されてもよい。それらは、それらに結合されたデータ入出力を含んでもよい。ここでのＬＳＩは、集積度の違いに応じて、ＩＣ、システムＬＳＩ、スーパーＬＳＩ、またはウルトラＬＳＩと呼ばれてもよい。しかしながら、集積回路を実装する技法は、ＬＳＩに限定されず、専用回路または汎用プロセッサを使用して実現されてもよい。加えて、ＬＳＩの製造後にプログラムすることができるＦＰＧＡ（フィールドプログラマブルゲートアレイ（Ｆｉｅｌｄ  Ｐｒｏｇｒａｍｍａｂｌｅ  Ｇａｔｅ  Ａｒｒａｙ））、またはＬＳＩ内部に配置された回路セルの接続および設定を再構成することができる再構成可能プロセッサが使用されてもよい。
【００５３】
本開示は、本開示の内容および範囲から逸脱することなく、明細書および既知の技法に提示された説明に基づいて、当業者によって様々に変更または修正されるものであり、そのような変更および適用は、保護されるように主張された範囲内にあることに留意されたい。さらに、本開示の内容を逸脱しない範囲で、上述された実施形態の構成要素は、任意に組み合わされてもよい。
【００５４】
本開示の実施形態は、少なくとも以下の主題を提供することができる。
【００５５】
（１）．サブフレーム内で通常のＴＴＩをスケジュールするべきか短縮ＴＴＩをスケジュールするべきかに応じて、第１のタイプのＤＣＩまたは第２のタイプのＤＣＩのいずれかを形成するように動作可能な回路と、
サブフレーム内で第１のタイプのＤＣＩまたは第２のタイプのＤＣＩを送信するように動作可能な送信部と
を備える、基地局であって、
通常のＴＴＩが１４個のＯＦＤＭシンボルを有し、短縮ＴＴＩが７個以下のＯＦＤＭシンボルを有し、
第１のタイプのＤＣＩが通常のＴＴＩをスケジュールし、第２のタイプのＤＣＩが短縮ＴＴＩをスケジュールし、
第１のタイプのＤＣＩおよび第２のタイプのＤＣＩが互いに区別可能であり、
第２のタイプのＤＣＩが送信され、別の短縮ＴＴＩがスケジュールされるべき場合、回路が第３のタイプのＤＣＩを形成するようにさらに動作可能であり、送信部が、サブフレーム内で第２のタイプのＤＣＩによってスケジュールされた前記短縮ＴＴＩの後の短縮ＴＴＩ内で、第３のタイプのＤＣＩを送信するようにさらに動作可能である、
基地局。
【００５６】
（２）．第１のタイプのＤＣＩおよび第２のタイプのＤＣＩが、サブフレームのＰＤＣＣＨ領域内で送信され、
第１のタイプのＤＣＩおよび第２のタイプのＤＣＩが同じサイズであり、１ビットフィールドによって区別可能である、
（１）に記載の基地局。
【００５７】
（３）．サブフレーム内で通常のＴＴＩをスケジュールするための第１のタイプのＤＣＩまたは短縮ＴＴＩをスケジュールするための第２のタイプのＤＣＩを検出するように動作可能な検出部と、
検出されたＤＣＩが第１のタイプのＤＣＩであるか第２のタイプのＤＣＩであるかを判定するように動作可能な回路と
を備える、ユーザ機器であって、
検出されたＤＣＩが第２のタイプのＤＣＩである場合、検出部が、サブフレーム内で第２のタイプのＤＣＩによってスケジュールされた前記短縮ＴＴＩの直後の短縮ＴＴＩから始まる短縮ＴＴＩ内で、第３のタイプのＤＣＩを検出するようにさらに動作可能であり、
通常のＴＴＩが１４個のＯＦＤＭシンボルを有し、短縮ＴＴＩが７個以下のＯＦＤＭシンボルを有する、
ユーザ機器。
【００５８】
（４）．第１のタイプのＤＣＩおよび第２のタイプのＤＣＩが、サブフレームのＰＤＣＣＨ領域内で送信され、
第１のタイプのＤＣＩおよび第２のタイプのＤＣＩが同じサイズであり、１ビットフィールドによって区別可能である、
（３）に記載のユーザ機器。
【００５９】
（５）．１つのタイプのＤＣＩがサブフレームのすべての短縮ＴＴＩに使用されるべき場合、サブフレーム用の第４のタイプのＤＣＩを形成し、２つのタイプのＤＣＩがサブフレームの短縮ＴＴＩに使用されるべき場合、サブフレーム用の第２のタイプのＤＣＩおよび第３のタイプのＤＣＩを形成するように動作可能な回路と、
第４のタイプのＤＣＩが使用される場合、サブフレームの少なくともＰＤＣＣＨ領域または開始短縮ＴＴＩ内で第４のタイプのＤＣＩを送信し、第２のタイプのＤＣＩおよび第３のタイプのＤＣＩが使用される場合、サブフレームのＰＤＣＣＨ領域または開始短縮ＴＴＩ内で第２のタイプのＤＣＩを、かつサブフレーム内の第２のタイプのＤＣＩの後の１つまたは複数の短縮ＴＴＩ内で第３のタイプのＤＣＩを送信するように動作可能な送信部と
を備える、基地局であって、
短縮ＴＴＩが７個以下のＯＦＤＭシンボルを有し、
第４のタイプのＤＣＩおよび第２のタイプのＤＣＩが互いに区別可能である、
基地局。
【００６０】
（６）．回路が、１４個のＯＦＤＭシンボルを有する通常のＴＴＩがスケジュールされるべき場合、サブフレーム用の第１のタイプのＤＣＩを形成するようにさらに動作可能であり、
送信部が、サブフレームのＰＤＣＣＨ領域内で第１のタイプのＤＣＩを送信するようにさらに動作可能であり、
第１のタイプのＤＣＩ、第２のタイプのＤＣＩ、および第４のタイプのＤＣＩが互いに区別可能である、
（５）に記載の基地局。
【００６１】
（７）．サブフレームのＰＤＣＣＨ領域または開始短縮ＴＴＩ内で第４のタイプのＤＣＩまたは第２のタイプのＤＣＩを検出するように動作可能な検出部と、
検出されたＤＣＩが第４のタイプのＤＣＩであるか第２のタイプのＤＣＩであるかを判定するように動作可能な回路と
を備える、ユーザ機器であって、
検出されたＤＣＩが第４のタイプのＤＣＩである場合、検出部が、第４のタイプのＤＣＩがサブフレーム内で最初に検出された場所の後の１つまたは複数の短縮ＴＴＩ内で第４のタイプのＤＣＩを検出するようにさらに動作可能であり、
検出されたＤＣＩが第２のタイプのＤＣＩである場合、検出部が、サブフレーム内の第２のタイプのＤＣＩの後の１つまたは複数の短縮ＴＴＩ内で第３のタイプのＤＣＩを検出するようにさらに動作可能であり、
短縮ＴＴＩが７個以下のＯＦＤＭシンボルを有する、
ユーザ機器。
【００６２】
（８）．検出部が、サブフレームのＰＤＣＣＨ領域内の１４個のＯＦＤＭシンボルを有する通常のＴＴＩをスケジュールするための第１のタイプのＤＣＩを検出するようにさらに動作可能であり、
第１のタイプのＤＣＩが検出された場合、検出部が、サブフレーム内でそれ以上ＤＣＩを検出しないように動作可能である、
（７）に記載のユーザ機器。
【００６３】
（９）．サブフレーム内の短縮ＴＴＩの長さが所定の長さよりも小さくない場合、サブフレーム用の１つのタイプのＤＣＩを形成し、サブフレーム内の短縮ＴＴＩの長さが所定の長さよりも小さい場合、サブフレーム用の２つのタイプのＤＣＩを形成するように動作可能な回路と、
形成された１つのタイプのＤＣＩまたは形成された２つのタイプのＤＣＩを送信するように動作可能な送信部と
を備える、基地局であって、
短縮ＴＴＩが７個以下のＯＦＤＭシンボルを有し、
２つのタイプのＤＣＩのうちの一方が１つのスロットまたは１つのサブフレームに関する共通情報を搬送し、２つのタイプのＤＣＩのうちの他方がその対象短縮ＴＴＩに固有の情報を搬送する、
基地局。
【００６４】
（１０）．サブフレーム内の短縮ＴＴＩの長さが所定の長さよりも小さくない場合、サブフレーム用の１つのタイプのＤＣＩを検出し、サブフレーム内の短縮ＴＴＩの長さが所定の長さよりも小さい場合、サブフレーム用の２つのタイプのＤＣＩを検出するように動作可能な検出部と、
２つのタイプのＤＣＩのうちの一方から１つのスロットまたは１つのサブフレームに関する共通情報を取得し、２つのタイプのＤＣＩのうちの他方から対象短縮ＴＴＩに固有の情報を取得するように動作可能な回路と
を備える、ユーザ機器であって、
短縮ＴＴＩが７個以下のＯＦＤＭシンボルを有する、
ユーザ機器。
【００６５】
（１１）．無線フレーム内に短縮ＴＴＩサブフレームを示すためのＤＣＩを形成するように動作可能な回路と、
無線フレームのサブフレーム＃０内、または以前の無線フレーム内のサブフレーム内のＣＳＳ内でＤＣＩを送信するように動作可能な送信部と
を備える、ＴＤＤ通信用の基地局であって、
短縮ＴＴＩサブフレームが、ＤｗＰＴＳ、ガードバンド、およびＵｐＰＴＳを有するサブフレームであり、ＤｗＰＴＳ、ガードバンド、およびＵｐＰＴＳの比率が、ＲＲＣによって任意に構成可能である、
基地局。
【００６６】
（１２）．ＤＣＩがｅＩＭＴＡ情報も含む、
（１１）に記載の基地局。
【００６７】
（１３）．無線フレームのサブフレーム＃０内、または以前の無線フレーム内のサブフレーム内のＣＳＳ内でＤＣＩを検出するように動作可能な検出部と、
検出されたＤＣＩに基づいて無線フレーム内の短縮ＴＴＩサブフレームを特定するように動作可能な回路と
を備える、ＴＤＤ通信用のユーザ機器であって、
短縮ＴＴＩサブフレームが、ＤｗＰＴＳ、ガードバンド、およびＵｐＰＴＳを有するサブフレームであり、ＤｗＰＴＳ、ガードバンド、およびＵｐＰＴＳの比率が、ＲＲＣによって任意に構成可能である、
ユーザ機器。
【００６８】
（１４）．ＤＣＩがｅＩＭＴＡ情報も含む、
（１３）に記載のユーザ機器。
【００６９】
（１５）．サブフレーム内で通常のＴＴＩをスケジュールするべきか短縮ＴＴＩをスケジュールするべきかに応じて、第１のタイプのＤＣＩまたは第２のタイプのＤＣＩのいずれかを形成するステップと、
サブフレーム内で第１のタイプのＤＣＩまたは第２のタイプのＤＣＩを送信するステップと
を備える、ワイヤレス通信方法であって、
通常のＴＴＩが１４個のＯＦＤＭシンボルを有し、短縮ＴＴＩが７個以下のＯＦＤＭシンボルを有し、
第１のタイプのＤＣＩが通常のＴＴＩをスケジュールし、第２のタイプのＤＣＩが短縮ＴＴＩをスケジュールし、
第１のタイプのＤＣＩおよび第２のタイプのＤＣＩが互いに区別可能であり、
第２のタイプのＤＣＩが送信され、別の短縮ＴＴＩがスケジュールされるべき場合、方法が、サブフレーム内で第２のタイプのＤＣＩによってスケジュールされた前記短縮ＴＴＩの後の短縮ＴＴＩ内で、第３のタイプのＤＣＩを形成し送信するステップをさらに備える、
ワイヤレス通信方法。
【００７０】
（１６）．サブフレーム内で通常のＴＴＩをスケジュールするための第１のタイプのＤＣＩまたは短縮ＴＴＩをスケジュールするための第２のタイプのＤＣＩを検出するステップと、
検出されたＤＣＩが第２のタイプのＤＣＩである場合、サブフレーム内で第２のタイプのＤＣＩによってスケジュールされた前記短縮ＴＴＩの直後の短縮ＴＴＩから始まる短縮ＴＴＩ内で、第３のタイプのＤＣＩをさらに検出するステップと
を備える、ワイヤレス通信方法であって、
通常のＴＴＩが１４個のＯＦＤＭシンボルを有し、短縮ＴＴＩが７個以下のＯＦＤＭシンボルを有する、
ワイヤレス通信方法。
【００７１】
（１７）．第１のタイプのＤＣＩおよび第２のタイプのＤＣＩが、サブフレームのＰＤＣＣＨ領域内で送信され、
第１のタイプのＤＣＩおよび第２のタイプのＤＣＩが同じサイズであり、１ビットフィールドによって区別可能である、
（１５）または（１６）に記載のワイヤレス通信方法。
【００７２】
（１８）．１つのタイプのＤＣＩがサブフレームのすべての短縮ＴＴＩに使用されるべき場合、サブフレーム用の第４のタイプのＤＣＩを形成し、２つのタイプのＤＣＩがサブフレームの短縮ＴＴＩに使用されるべき場合、サブフレーム用の第２のタイプのＤＣＩおよび第３のタイプのＤＣＩを形成するステップと、
第４のタイプのＤＣＩが使用される場合、サブフレームの少なくともＰＤＣＣＨ領域または開始短縮ＴＴＩ内で第４のタイプのＤＣＩを送信し、第２のタイプのＤＣＩおよび第３のタイプのＤＣＩが使用される場合、サブフレームのＰＤＣＣＨ領域または開始短縮ＴＴＩ内で第２のタイプのＤＣＩを、かつサブフレーム内の第２のタイプのＤＣＩの後の１つまたは複数の短縮ＴＴＩ内で第３のタイプのＤＣＩを送信するステップと
を備える、ワイヤレス通信方法であって、
短縮ＴＴＩが７個以下のＯＦＤＭシンボルを有し、
第４のタイプのＤＣＩおよび第２のタイプのＤＣＩが互いに区別可能である、
ワイヤレス通信方法。
【００７３】
（１９）．１４個のＯＦＤＭシンボルを有する通常のＴＴＩがスケジュールされるべき場合、サブフレーム用の第１のタイプのＤＣＩを形成するステップと、
サブフレームのＰＤＣＣＨ領域内で第１のタイプのＤＣＩを送信するステップと
をさらに備え、
第１のタイプのＤＣＩ、第２のタイプのＤＣＩ、および第４のタイプのＤＣＩが互いに区別可能である、
（１８）に記載のワイヤレス通信方法。
【００７４】
（２０）．サブフレームのＰＤＣＣＨ領域または開始短縮ＴＴＩ内で第４のタイプのＤＣＩまたは第２のタイプのＤＣＩを検出するステップと、
検出されたＤＣＩが第４のタイプのＤＣＩである場合、第４のタイプのＤＣＩがサブフレーム内で最初に検出された場所の後の１つまたは複数の短縮ＴＴＩ内で第４のタイプのＤＣＩをさらに検出するステップと、
検出されたＤＣＩが第２のタイプのＤＣＩである場合、サブフレーム内の第２のタイプのＤＣＩの後の１つまたは複数の短縮ＴＴＩ内で第３のタイプのＤＣＩをさらに検出するステップと
を備える、ワイヤレス通信方法であって、
短縮ＴＴＩが７個以下のＯＦＤＭシンボルを有する、
ワイヤレス通信方法。
【００７５】
（２１）．サブフレームのＰＤＣＣＨ領域内で１４個のＯＦＤＭシンボルを有する通常のＴＴＩをスケジュールするための第１のタイプのＤＣＩを検出するステップ
をさらに備え、
第１のタイプのＤＣＩが検出された場合、サブフレーム内でそれ以上ＤＣＩが検出されない、
（２０）に記載のワイヤレス通信方法。
【００７６】
（２２）．サブフレーム内の短縮ＴＴＩの長さが所定の長さよりも小さくない場合、サブフレーム用の１つのタイプのＤＣＩを形成し、サブフレーム内の短縮ＴＴＩの長さが所定の長さよりも小さい場合、サブフレーム用の２つのタイプのＤＣＩを形成するステップと、
形成された１つのタイプのＤＣＩまたは形成された２つのタイプのＤＣＩを送信するステップと
を備える、ワイヤレス通信方法であって、
短縮ＴＴＩが７個以下のＯＦＤＭシンボルを有し、
２つのタイプのＤＣＩのうちの一方が１つのスロットまたは１つのサブフレームに関する共通情報を搬送し、２つのタイプのＤＣＩのうちの他方がその対象短縮ＴＴＩに固有の情報を搬送する、
ワイヤレス通信方法。
【００７７】
（２３）．サブフレーム内の短縮ＴＴＩの長さが所定の長さよりも小さくない場合、サブフレーム用の１つのタイプのＤＣＩを検出し、サブフレーム内の短縮ＴＴＩの長さが所定の長さよりも小さい場合、サブフレーム用の２つのタイプのＤＣＩを検出するステップと、
２つのタイプのＤＣＩのうちの一方から１つのスロットまたは１つのサブフレームに関する共通情報を取得し、２つのタイプのＤＣＩのうちの他方から対象短縮ＴＴＩに固有の情報を取得するステップと
を備える、ワイヤレス通信方法であって、
短縮ＴＴＩが７個以下のＯＦＤＭシンボルを有する、
ワイヤレス通信方法。
【００７８】
（２４）．無線フレーム内に短縮ＴＴＩサブフレームを示すためのＤＣＩを形成するステップと、
無線フレームのサブフレーム＃０内、または以前の無線フレーム内のサブフレーム内のＣＳＳ内でＤＣＩを送信するステップと
を備える、ＴＤＤ用のワイヤレス通信方法であって、
短縮ＴＴＩサブフレームが、ＤｗＰＴＳ、ガードバンド、およびＵｐＰＴＳを有するサブフレームであり、ＤｗＰＴＳ、ガードバンド、およびＵｐＰＴＳの比率が、ＲＲＣによって任意に構成可能である、
ワイヤレス通信方法。
【００７９】
（２５）．無線フレームのサブフレーム＃０内、または以前の無線フレーム内のサブフレーム内のＣＳＳ内でＤＣＩを検出するステップと、
検出されたＤＣＩに基づいて無線フレーム内の短縮ＴＴＩサブフレームを特定するステップと
を備える、ＴＤＤ用のワイヤレス通信方法であって、
短縮ＴＴＩサブフレームが、ＤｗＰＴＳ、ガードバンド、およびＵｐＰＴＳを有するサブフレームであり、ＤｗＰＴＳ、ガードバンド、およびＵｐＰＴＳの比率が、ＲＲＣによって任意に構成可能である、
ワイヤレス通信方法。
【００８０】
（２６）．ＤＣＩがｅＩＭＴＡ情報も含む、
（２４）または（２５）に記載のワイヤレス通信方法。
【００８１】
（２７）．１つの別個のＴｘ／Ｒｘチェーン内の１つのキャリア周波数内で短縮ＴＴＩを処理するように動作可能な回路と、
短縮ＴＴＩを送信または受信するように動作可能なトランシーバと
を備える、キャリアアグリゲーションをサポートする基地局であって、
短縮ＴＴＩが７個以下のＯＦＤＭシンボルを有する、
基地局。
【００８２】
（２８）．短縮ＴＴＩ用のキャリア周波数が通常のＴＴＩとは別個であるか、または短縮ＴＴＩ用のキャリア周波数が通常のＴＴＩのキャリア用のキャリア周波数と同じである、
（２７）に記載の基地局。
【００８３】
（２９）．別個のＴｘ／Ｒｘチェーンによって処理される短縮ＴＴＩのための電力制御機構が、キャリアアグリゲーションまたはデュアルコネクティビティ用の同じ機構を使用する、
（２７）に記載の基地局。
【００８４】
（３０）．１つの別個のＴｘ／Ｒｘチェーン内の１つのキャリア周波数内で短縮ＴＴＩを処理するように動作可能な回路と、
短縮ＴＴＩを送信または受信するように動作可能なトランシーバと
を備える、キャリアアグリゲーションおよび／またはデュアルコネクティビティをサポートするユーザ機器であって、
短縮ＴＴＩが７個以下のＯＦＤＭシンボルを有する、
ユーザ機器。
【００８５】
（３１）．短縮ＴＴＩ用のキャリア周波数が通常のＴＴＩとは別個であるか、または短縮ＴＴＩ用のキャリア周波数が通常のＴＴＩのキャリア用のキャリア周波数と同じである、
（３０）に記載のユーザ機器。
【００８６】
（３２）．別個のＴｘ／Ｒｘチェーンによって処理される短縮ＴＴＩのための電力制御機構が、キャリアアグリゲーションまたはデュアルコネクティビティ用の同じ機構を使用する、
（３０）に記載のユーザ機器。
【００８７】
（３３）．ユーザ機器の総電力に基づいて、通常のＴＴＩと短縮ＴＴＩとの間で電力がスケーリングされる、
（３０）に記載のユーザ機器。
【００８８】
（３４）．１つの別個のＴｘ／Ｒｘチェーン内の１つのキャリア周波数内で短縮ＴＴＩを処理するステップと、
短縮ＴＴＩを送信または受信するステップと
を備える、キャリアアグリゲーションおよび／またはデュアルコネクティビティをサポートするワイヤレス通信方法であって、
短縮ＴＴＩが７個以下のＯＦＤＭシンボルを有する、
ワイヤレス通信方法。
【００８９】
（３５）．短縮ＴＴＩ用のキャリア周波数が通常のＴＴＩとは別個であるか、または短縮ＴＴＩ用のキャリア周波数が通常のＴＴＩのキャリア用のキャリア周波数と同じである、
（３４）に記載のワイヤレス通信方法。
【００９０】
（３６）．別個のＴｘ／Ｒｘチェーンによって処理される短縮ＴＴＩのための電力制御機構が、キャリアアグリゲーションまたはデュアルコネクティビティ用の同じ機構を使用する、
（３４）に記載のワイヤレス通信方法。
【００９１】
（３７）．電力ヘッドルーム通知（ＰＨＲ）が、短縮ＴＴＩについて個別に通知されるか、短縮ＴＴＩおよび他のＴＴＩについて一緒に通知される、
（３４）に記載のワイヤレス通信方法。
【００９２】
（３８）．短縮ＴＴＩをアクティブ化／非アクティブ化するために、ＣＡまたはＤＣにおけるアクティブ化／非アクティブ化機構が使用される、
（３４）に記載のワイヤレス通信方法。
【００９３】
加えて、本開示の実施形態は、上記のそれぞれの通信方法におけるステップを実行するためのモジュールを備える集積回路を提供することもできる。さらに、本発明の実施形態は、コンピューティングデバイス上で実行されると、上記のそれぞれの通信方法のステップを実行するプログラムコードを含むコンピュータプログラムを記憶したコンピュータ可読記憶媒体を提供することもできる。
【図１】
2019519126.tif 000003
【図２】
2019519126.tif 000004
【図３】
2019519126.tif 000005
【図４】
2019519126.tif 000006
【図５】
2019519126.tif 000007
【図６】
2019519126.tif 000008
【図７】
2019519126.tif 000009
【図８】
2019519126.tif 000010
【図９】
2019519126.tif 000011
【図１０】
2019519126.tif 000012
【図１１】
2019519126.tif 000013
【図１２】
2019519126.tif 000014
【図１３】
2019519126.tif 000015
【図１４】
2019519126.tif 000016
【図１５】
2019519126.tif 000017
【図１６】
2019519126.tif 000018
【国際調査報告】
2019519126.tif 000019
2019519126.tif 000020